(57)【要約】      （修正有）【課題】取り入れる外気が高温高湿時または低温時にかかわらず外気の保有する熱と空調空間の熱負荷を有効利用して温熱および冷熱の消費を低減し、空調装置の制御プロセス内で熱量バランスをリアルタイムで維持しつつ省エネルギーを図る、簡単な構成の空調装置およびその使用方法を提供する。【解決手段】熱回収コイル１１、外調冷却コイル１２、加熱コイル１３および加湿器１４および外調送風ファン１０１を備え、外気を調節外気として供給する外調機１０と、内調冷却コイル２１および内調送風ファン１０２を備え、空調空間に給気する内調機２０と、温水を循環供給する温熱源装置５０と、冷水を循環供給する冷熱源装置４０から構成され、熱回収コイル１１に備えた熱回収コイル切替弁１１１〜１１４の切り替えと送水ポンプ１２０による送水と各制御弁１２１〜１２４の開閉制御により、熱回収循環流路を形成する。【選択図】図２
2009216330.tif 000002
【特許請求の範囲】
【請求項１】
外気を通過させる順に熱回収コイル、外調冷却コイル、加熱コイルおよび加湿器を備えるとともに外調送風ファンを備え、外気を取り入れて調節外気として供給する外調機と、内調冷却コイルおよび内調送風ファンを備え、前記調節外気と空調空間からの還気とを混合して、前記空調空間に給気する内調機と、前記外調機との間で温水を循環供給する温熱源装置と、前記外調機および前記内調機との間で冷水を循環供給する冷熱源装置と、から構成され、前記外調冷却コイルは前記冷熱源装置の冷水供給配管との間に前記外調冷却コイルへの前記冷水の流量を制御する外調冷却コイル制御弁を備え、前記加熱コイルは前記温熱源装置の温水戻配管との間に前記加熱コイルへの前記温水の流量を制御する加熱コイル制御弁を備え、前記加湿器は該加湿器への加湿用蒸気または加湿用給水の流量を制御する加湿器制御弁を備え、前記内調冷却コイルは該内調冷却コイルへの前記冷水の流量を制御する内調冷却コイル制御弁を備え、前記熱回収コイルは、前記温熱源装置への前記温水戻配管に前記加熱コイルへの分岐部および前記加熱コイル制御弁をこの順に介して接続された第１配管および前記冷熱源装置からの前記冷水供給配管に前記外調冷却コイルへの分岐部および前記外調冷却コイル制御弁をこの順に介して接続された第２配管が接続された熱媒水の流入配管と、該流入配管に直列接続された送水ポンプと、前記温熱源装置からの前記温水供給配管に前記加熱コイルへの分岐部を介して接続された第３配管および前記冷熱源装置への前記冷水戻配管に接続された第４配管に接続された熱媒水の流出配管と、前記第１配管および前記第２配管と前記流入配管との間ならびに前記第３配管および前記第４配管と前記流出配管との間でそれぞれの前記熱媒水を前記温水または前記冷水に切り替える熱回収コイル切替弁とを備えていることを特徴とする空調装置。
【請求項２】
前記熱回収コイル切替弁が、前記第１配管乃至前記第４配管にそれぞれ設けられた二方弁であることを特徴とする請求項１記載の空調装置。
【請求項３】
前記熱回収コイル切替弁が、前記第１配管および前記第２配管と前記流入配管との分岐部ならびに前記第３配管および前記第４配管と前記流出配管との分岐部にそれぞれ設けられた三方弁であることを特徴とする請求項１記載の空調装置。
【請求項４】
請求項１記載の空調装置の使用方法であって、前記外調機に高温高湿の前記外気を取り入れて、前記外調冷却コイルを前記外気の冷却または除湿を行ない、除湿を主として動作させるとき、前記加熱コイル制御弁を全閉にし、前記熱回収コイル切替弁により前記加熱コイルと前記熱回収コイルとの間で前記第１配管および前記流入配管ならびに前記流出配管および前記第３配管を介して熱媒水の循環流路を構成して前記送水ポンプを運転し、前記加熱コイルと前記熱回収コイルとの間で熱媒水の熱を利用することを特徴とする空調装置の使用方法。
【請求項５】
請求項１記載の空調装置の使用方法であって、前記外調機に低温の前記外気を取り入れて、前記熱回収コイルおよび前記外調冷却コイルを前記外気の加熱を主として動作させるとき、前記外調冷却コイル制御弁を全閉にするとともに、前記熱回収コイル切替弁により前記内調冷却コイルから前記冷熱源装置への戻り冷水を前記外調冷却コイル、前記第２配管および前記流入配管、前記熱回収コイル、ならびに前記流出配管および前記第４配管を介して前記冷熱源装置の前記冷水戻配管へ戻すバイパス循環流路を構成して前記送水ポンプを運転し、前記内調冷却コイルと前記外調冷却コイルおよび前記熱回収コイルとの間で前記戻り冷水の熱を利用することを特徴とする空調装置の使用方法。
【請求項６】
請求項１記載の空調装置の使用方法であって、前記流入配管または前記流出配管に設けた熱媒水流量検出器により検出した前記熱媒水の流量と、前記流入配管および前記流出配管のそれぞれに設けた温度検出器により検出した前記熱媒水の温度差とから前記熱回収コイルの熱回収量を演算し、前記空調空間に設けた温度検出器および湿度検出器により検出した温度および湿度から前記空調空間の比エンタルピーと露点温度と湿球温度とを演算し、前記外調機への前記外気の取り入れ口に設けた温度検出器および湿度検出器により検出した前記取り入れ口の外気温度と外気湿度とから前記取り入れ口の前記外気の比エンタルピーと露点温度と湿球温度とを演算して、各検出器により検出した値と各演算値とを使用して、前記空調空間の温度および湿度を制御することを特徴とする請求項４または請求項５記載の空調装置の使用方法。
【請求項７】
請求項１記載の空調装置の使用方法であって、前記調節外気の温度の目標値を前記空調空間の温度の設定値から求めて初期設定し、前記空調空間の温度の許容範囲値から、前記調節外気の温度の目標値に許容範囲値を加算した冷却設定値と目標値から許容範囲値を減算した加熱設定値とを求め、前記冷却設定値が前記調節外気の温度の検出値より低いときは冷却動作を、前記加熱設定値が前記調節外気の温度の検出値より高いときは加熱動作を選択し、取り入れる外気の温度の検出値が前記冷却設定値よりも高く冷却動作が適正な場合に前記調節外気の温度が前記冷却動作により過度に低くなって加熱動作に反転したとき、または前記取り入れる外気の温度の検出値が前記加熱設定値よりも低く加熱動作が適正な場合に前記調節外気の温度が前記加熱動作により過度に高くなって冷却動作に反転したときに、前記調節外気の温度の検出値と前記加熱設定値または前記冷却設定値との不一致を異常として検知し、前記冷却動作または前記加熱動作のＰＩＤ制御定数を再設定して、選択された加熱動作または冷却動作と選択されなかった冷却動作または加熱動作とのハンチングを防止することを特徴とする空調装置の使用方法。
【請求項８】
請求項１記載の空調装置の使用方法であって、前記内調冷却コイル制御弁の開度または前記空調空間の温度を検出して前記調節外気の前記加熱設定値を初期起動時に比べて低くすることを特徴とする請求項７記載の空調装置の使用方法。
【請求項９】
請求項１記載の空調装置の使用方法であって、前記調節外気の露点温度の目標値を前記空調空間の温度および湿度の設定値から求めて初期設定し、前記空調空間の温度および湿度の許容範囲から、前記調節外気の露点温度の目標値から許容範囲値を減算した加湿設定値と目標値に許容範囲値を加算した除湿設定値とを求め、前記加湿設定値が前記調節外気の露点温度の検出値より高いときは加湿動作を、前記除湿設定値が前記調節外気の露点温度の検出値より低いときは除湿動作を選択し、取り入れる外気の露点温度の検出値が前記除湿設定値よりも高く除湿動作が適正な場合に前記調節外気の露点温度が前記除湿動作により過度に低くなって加湿動作に反転したとき、または前記取り入れる外気の露点温度が前記加湿設定値より低く加湿動作が適正な場合に前記調節外気の露点温度が前記加湿動作により過度に高くなって除湿動作に反転したときに、前記調節外気の露点温度の検出値と前記加湿設定値または前記除湿設定値との不一致を異常として検知し、前記加湿動作または前記除湿動作のＰＩＤ制御定数を再設定して、選択された加湿動作または除湿動作と選択されなかった除湿動作または加湿動作とのハンチングを防止することを特徴とする空調装置の使用方法。
【請求項１０】
請求項１記載の空調装置の使用方法であって、前記空調空間の湿度設定値と前記空調空間に設けた湿度検出器によって検出した湿度とから、前記調節外気の露点温度の目標値を補正するカスケード制御を行なうことを特徴とする請求項９記載の空調装置の使用方法。
【請求項１１】
請求項１記載の空調装置の使用方法であって、前記内調冷却コイルに流れる冷水の流量を制御する内調冷却コイル制御弁の開度の減少または前記外調機に取り入れる外気の温度の低下を検出して、検出した前記開度の減少または前記検出した温度の低下より取り入れる外気の熱量不足を判定して、請求項４記載の空調装置の使用方法を停止することを特徴とする空調装置の使用方法。
【請求項１２】
請求項１記載の空調装置の使用方法であって、前記外調機に取り入れる外気の温度が前記調節外気の温度の目標値より低くなったときは前記外調機が加熱動作により前記調節外気の温度を前記目標値まで上昇させるとともに加湿動作により前記調節外気の露点温度の調整を行ない、取り入れる外気の温度が戻り冷水の温度より所定の設定値を超えて低いときは請求項５記載の空調装置の使用方法を行なうことを特徴とする空調装置の使用方法。
【請求項１３】
請求項１記載の空調装置の使用方法であって、前記外調機に取り入れる外気の温度が低温で、かつ前記空調空間による熱負荷が減少したとき、請求項５記載の空調装置の使用方法を行なうとともに、前記加熱コイルの加熱出力を上昇させて前記調節外気の温度を上昇させることにより、前記内調冷却コイルの常時冷却動作を維持して、前記加熱コイルの加熱出力上昇分の熱量を前記内調冷却コイルにより熱回収し前記冷熱源装置への戻り冷水の温度を上昇させて前記熱回収コイル内の戻り冷水の凍結防止を図ることを特徴とする空調装置の使用方法。
【請求項１４】
請求項１記載の空調装置の使用方法であって、前記外調機に取り入れる外気の温度が零下になり、かつ前記空調空間による熱負荷が減少して、前記調節外気の温度を上昇しても前記内調冷却コイルから前記冷熱源装置への戻り冷水の温度が所定の下限値を超えて下がったとき、請求項５記載の空調装置の使用方法を停止し、請求項４記載の空調装置の使用方法に変更した後、前記加熱コイル制御弁を開けて前記加熱コイルを加熱動作させ、温水を前記熱回収コイルと前記加熱コイルとで循環させることを特徴とする空調装置の使用方法。
【請求項１５】
請求項１記載の空調装置の使用方法であって、請求項５記載の空調装置の使用方法を行なっているとき、前記空調空間の湿度の設定値と前記空調空間に設けた湿度検出器によって検出した湿度から前記空調空間の湿度が前記空調空間の湿度設定値より下降し、請求項１０記載の使用方法により加湿動作となり、前記内調冷却コイル制御弁の開度が下限しきい値以下になり、かつ前記内調冷却コイルに供給される冷水の温度が前記空調空間の露点温度を下回る低温のとき、前記冷熱源装置により前記冷水の温度を上げるよう制御を行なうことを特徴とする空調装置の使用方法。
【請求項１６】
請求項１記載の空調装置の使用方法であって、請求項５記載の空調装置の使用方法を行なっているとき、前記空調空間の湿度の設定値と前記空調空間に設けた湿度検出器によって検出した湿度から前記空調空間の湿度が前記空調空間の湿度の設定値より下降し、請求項１０記載の使用方法により加湿動作となり、前記内調冷却コイル制御弁の開度が上限しきい値以上になったとき、前記冷熱源装置により前記冷水の温度を下げるよう制御を行なうことを特徴とする空調装置の使用方法。
【請求項１７】
請求項１記載の空調装置の使用方法であって、前記外調機が請求項４または請求項５記載の空調装置の使用方法を行なっているとき、取り入れる外気から回収する熱量と前記外調機および前記内調機が利用する熱量とがバランスして熱量の消費が最小で済むように、請求項４記載の空調装置の使用方法を行なっている場合は前記調節外気の温度の検出値と加熱設定値とに基づいて、請求項５記載の空調装置の使用方法を行なっている場合は前記冷熱源装置への戻り冷水の温度の検出値と冷水の温度設定値とに基づいて、前記送水ポンプによる送水量の制御を行なうことを特徴とする空調装置の使用方法。
【発明の詳細な説明】
【技術分野】
【０００１】
本発明は空調空間の温度と湿度の調節を行なう空調装置において、取り入れる外気を調節する過程での熱の相互有効利用および空調空間の熱負荷を有効利用する空調装置および空調装置の使用方法に関するものである。
【背景技術】
【０００２】
一般に、空調設備では熱源設備である例えばターボ冷凍機、吸収式冷凍機、蒸気ボイラ、温水ボイラなどにより発生させた冷水、温水をポンプにより加圧送水するか、蒸気を直接圧力搬送して熱利用先の空気調和装置へ配管設備で供給し熱交換して再度熱源設備へ環水する方式が用いられる。さらに、熱利用先の空気調和装置には、外気の温度と湿度の調整手段を備えた外気あるいは外気と空調空間からの還気との混合空気を取り入れ、冬期などの暖房時には所定の温度まで暖める予熱コイル、夏期などの冷却除湿時には所定の露点温度まで冷却して除湿する冷却除湿コイル、冬期などの乾燥時に加湿する加湿器、冬期などの加湿後、および夏期などの冷却除湿後に目標とする温度まで加熱する加熱コイルを備えた空調装置が利用されている。
【０００３】
また、空調装置の使用方法に際して温度と湿度の変位量の度合いを自動制御する方式としてＰＩＤ制御が広く用いられている。ＰＩＤ制御は、目標値と検出値との偏差に対して比例、積分、微分の演算を行ない制御弁等の操作量を決定する制御方式である。
【０００４】
なお、ＰＩＤ制御では目標値をＳＶ、検出値をＰＶ、操作量をＭＶと表現することがある。また、あわせて用いられるシーケンス制御は、あらかじめ決められた順序、手続きに従って進めてゆく制御方式である。
【０００５】
空調空間がクリーンルームの場合は、その空調装置として、特許文献１には、外気を第１冷却器、加熱器、加湿器の順に通過させて温度と湿度とを調整した調節外気をクリーンルームからの還気と混合し、第２冷却器で冷却した後にクリーンルームに給気する空調装置において、第１冷却器と第２冷却器とを連通配管によって接続し、冷水よりも温度が低い外気の暖房時に第１冷却器に通水させたあとの冷水を第２冷却器に通水することにより、第１冷却器を有効に利用することができ、省エネルギーに寄与するとともに、厳寒期において外気温度が零下マイナスの場合にも冷却コイルの破裂を回避することができる空気調和装置およびその運転方法が開示されている。
【０００６】
また、特許文献２には冷熱、温熱の回収を図って省エネルギー化した外気調整用空調装置が開示されている。
【０００７】
また、特許文献３にはゼロエナジーバンド制御による許容変動幅を容認する場合の湿度制御の制御方式が開示されている。
【０００８】
また、特許文献４には、熱交換コイルとエアワッシャ（噴霧加湿手段）、冷却コイル、加熱コイルからなる空気調和装置において、熱交換コイルと加熱コイルとを熱交換の媒体（熱媒水）の授受を行う接続管で接続し、外気から媒体に移動した熱を加熱コイルで加熱エネルギーとして利用し、加熱コイルで熱を奪われた媒体を熱交換コイルにおいて冷却用媒体として利用した熱量の消費の少ない空調装置が開示されている。
【特許文献１】特開２００４−０１２０１６号公報
【特許文献２】特開２００６−２０７８５６号公報
【特許文献３】特開２０００−１１１１２４号公報
【特許文献４】特開平１０−２２７４８３号公報
【発明の開示】
【発明が解決しようとする課題】
【０００９】
しかしながら、特許文献１の空気調和装置では、年間を通して空調空間の熱負荷があり常に第２冷却器冷却動作が必要不可欠な条件となっており、発熱負荷が発生しない状況下では、外気温度が零下になった場合は第１冷却器の凍結破裂が起こる虞がある。さらに第２冷却器へ供給する冷水の温度が外気温度に依存されるため低下しすぎることがあり、加湿調整した外気を空調空間の環気（ＲＡ）と混合した後、第２冷却器による冷却時に不必要な過除湿が発生し、結果的に加湿用熱を過大消費する虞がある。
【００１０】
さらに、高温高湿になる夏期においては、第１冷却器と第２冷却器とを直列接続して使用するため、冷熱源装置に対して冷水を冷熱源装置の冷水の戻り定格温度を超えて戻すことが起こりうる。このため、冷熱源装置の能力の限界により定格条件まで冷水を冷却することができず、そのまま再び空調装置へ給水するため第１冷却器の冷却不足により結果的に除湿不足が発生し、所定の空調空間（クリーンルーム）の温度と湿度とを満足できない状態が発生する虞がある。
【００１１】
さらに、特許文献１の空気調和装置の運転では冷房運転と暖房運転の運転形態の変更に外気温度の常時監視と人為的判断にて制御弁の操作が必要であり、中間時期の運転はその操作が煩雑となり省エネルギー性に富む有効運転機会を逸する虞があり、また、変化する外気状態に追従できず逆熱交換等が起こり、所定の空調条件を満足できない虞がありうる。
【００１２】
特許文献２の外気調整用空調装置は、省エネルギー性を追求した空調装置であり、熱回収管路で回収した熱の利用先で熱量の収支がバランスしない虞や、他の熱利用系に回収熱の利用を依存するなど時間的ずれの課題や熱回収配管路の熱媒水搬送動力を熱量の収支上考慮する必要がある。
【００１３】
特許文献３の空調制御システムでは、露点温度をゼロエナジーバンド制御により除湿と加湿との許容変動幅を設けてハンチング防止を図ることができるが、ゼロエナジーバンド制御を実施するための許容変動幅の設定が難しく、目標設定方式が、従来の一般的な温度、湿度の設定操作と異なっているため、恒温と恒湿とを継続維持する空調制御には採用しにくいこと、および、ゼロエナジーバンド制御を行なっていても調節計のＰＩＤ定数の不適合や制御対象の大きな変動時は、調節計の再調整チューニングや設備調整が必要にもかかわらず認識できず、許容変動幅内でハンチングが起こる虞がある。
【００１４】
特許文献４の空気調和装置では、夏期の高温高湿時に、熱交換コイルと加熱コイルとの間で媒体を循環することにより使用熱量を少なくすることができるが、年間を通じて一定値に管理された温度範囲の熱回収利用する熱交換コイルの能力を限定的にしか利用できず、外気が高温時の温熱の利用効率が低い。また、外気を熱交換コイルで所定の温度に調節し、その後段のエアワッシャで温度調節後の外気を有害ガスなどの除去を主目的に加湿し、その後、冷却除湿および再加熱により調節外気の温度と湿度を調整する構成になっており、最終利用先の空調空間条件による制御構成になっていないので、調節外気の供給先においてさらに加熱、または、冷却処理を前提としたシステムであることから、大きく省エネルギーすることは望めない。また、高温高湿時の熱交換は熱交換コイルと加熱コイルとが密閉された閉塞配管路が構成されていて、配管内媒体の熱膨張による熱交換コイル、加熱コイルおよび媒体配管の破損の虞がある。さらに、冬期の低温時の熱回収による消費熱量の削減については開示されてない。
【００１５】
本発明は、従来の空調空間の恒温と恒湿とを継続する空調装置およびその空調装置の使用方法の有する問題点に鑑み考え出されたものであって、外気の保有する熱と空調空間の熱負荷を有効利用して温熱および冷熱の消費を低減し、空調装置の制御プロセス内で熱量バランスをリアルタイムで維持しつつ、省エネルギーを図り、簡単で合理的な構成の空調装置とその空調装置の使用方法を提供することを目的とする。
【課題を解決するための手段】
【００１６】
上述したような課題を解決するために、本発明の第１の発明の空調装置は、外気を通過させる順に熱回収コイル、外調冷却コイル、加熱コイルおよび加湿器を備えるとともに外調送風ファンを備え、外気を取り入れて調節外気として供給する外調機と、内調冷却コイルおよび内調送風ファンを備え、前記調節外気と空調空間からの還気とを混合して、前記空調空間に給気する内調機と、前記外調機との間で温水を循環供給する温熱源装置と、前記外調機および前記内調機との間で冷水を循環供給する冷熱源装置と、から構成され、前記外調冷却コイルは前記冷熱源装置の冷水供給配管との間に前記外調冷却コイルへの前記冷水の流量を制御する外調冷却コイル制御弁を備え、前記加熱コイルは前記温熱源装置の温水戻配管との間に前記加熱コイルへの前記温水の流量を制御する加熱コイル制御弁を備え、前記加湿器は該加湿器への加湿用蒸気または加湿用給水の流量を制御する加湿器制御弁を備え、前記内調冷却コイルは該内調冷却コイルへの前記冷水の流量を制御する内調冷却コイル制御弁を備え、前記熱回収コイルは、前記温熱源装置への前記温水戻配管に前記加熱コイルへの分岐部および前記加熱コイル制御弁をこの順に介して接続された第１配管および前記冷熱源装置からの前記冷水供給配管に前記外調冷却コイルへの分岐部および前記外調冷却コイル制御弁をこの順に介して接続された第２配管が接続された熱媒水の流入配管と、該流入配管に直列接続された送水ポンプと、前記温熱源装置からの前記温水供給配管に前記加熱コイルへの分岐部を介して接続された第３配管および前記冷熱源装置への前記冷水戻配管に接続された第４配管に接続された熱媒水の流出配管と、前記第１配管および前記第２配管と前記流入配管との間ならびに前記第３配管および前記第４配管と前記流出配管との間でそれぞれの前記熱媒水を前記温水または前記冷水に切り替える熱回収コイル切替弁とを備えていることを特徴とする。
【００１７】
本発明の第２の発明の空調装置は、第１の発明において空調装置の前記熱回収コイル切替弁が、前記第１配管乃至前記第４配管にそれぞれ設けられた二方弁であることを特徴とする。
【００１８】
本発明の第３の発明の空調装置は、第１の発明において空調装置の前記熱回収コイル切替弁が、前記第１配管および前記第２配管と前記流入配管との分岐部ならびに前記第３配管および前記第４配管と前記流出配管との分岐部にそれぞれ設けられた三方弁であることを特徴とする。
【００１９】
本発明の第４の発明の空調装置の使用方法は、第１の発明の空調装置の使用方法であって、前記外調機に高温高湿の前記外気を取り入れて、前記外調冷却コイルを前記外気の冷却または除湿を行ない、除湿を主として動作させるとき、前記加熱コイル制御弁を全閉にし、前記熱回収コイル切替弁により前記加熱コイルと前記熱回収コイルとの間で前記第１配管および前記流入配管ならびに前記流出配管および前記第３配管を介して熱媒水の循環流路を構成して前記送水ポンプを運転し、前記加熱コイルと前記熱回収コイルとの間で熱媒水の熱を利用することを特徴とする。
【００２０】
本発明の第５の発明の空調装置の使用方法は、第１の発明の空調装置の使用方法であって、前記外調機に低温の前記外気を取り入れて、前記熱回収コイルおよび前記外調冷却コイルを前記外気の加熱を主として動作させるとき、前記外調冷却コイル制御弁を全閉にするとともに、前記熱回収コイル切替弁により前記内調冷却コイルから前記冷熱源装置への戻り冷水を前記外調冷却コイル、前記第２配管および前記流入配管、前記熱回収コイル、ならびに前記流出配管および前記第４配管を介して前記冷熱源装置の前記冷水戻配管へ戻すバイパス循環流路を構成して前記送水ポンプを運転し、前記内調冷却コイルと前記外調冷却コイルおよび前記熱回収コイルとの間で前記戻り冷水の熱を利用することを特徴とする。
【００２１】
本発明の第６の発明の空調装置の使用方法は、第４または第５の発明において、前記流入配管または前記流出配管に設けた熱媒水流量検出器により検出した前記熱媒水の流量と、前記流入配管および前記流出配管のそれぞれに設けた温度検出器により検出した前記熱媒水の温度差とから前記熱回収コイルの熱回収量を演算し、前記空調空間に設けた温度検出器および湿度検出器により検出した温度および湿度から前記空調空間の比エンタルピーと露点温度と湿球温度とを演算し、前記外調機への前記外気の取り入れ口に設けた温度検出器および湿度検出器により検出した前記取り入れ口の外気温度と外気湿度とから前記取り入れ口の前記外気の比エンタルピーと露点温度と湿球温度とを演算して、各検出器により検出した値と各演算値とを使用して、前記空調空間の温度および湿度を制御することを特徴とする。
【００２２】
本発明の第７の発明の空調装置の使用方法は、第１の発明の空調装置の使用方法であって、前記調節外気の温度の目標値を前記空調空間の温度の設定値から求めて初期設定し、前記空調空間の温度の許容範囲値から、前記調節外気の温度の目標値に許容範囲値を加算した冷却設定値と目標値から許容範囲値を減算した加熱設定値とを求め、前記冷却設定値が前記調節外気の温度の検出値より低いときは冷却動作を、前記加熱設定値が前記調節外気の温度の検出値より高いときは加熱動作を選択し、取り入れる外気の温度の検出値が前記冷却設定値よりも高く冷却動作が適正な場合に前記調節外気の温度が前記冷却動作により過度に低くなって加熱動作に反転したとき、または前記取り入れる外気の温度の検出値が前記加熱設定値よりも低く加熱動作が適正な場合に前記調節外気の温度が前記加熱動作により過度に高くなって冷却動作に反転したときに、前記調節外気の温度の検出値と前記加熱設定値または前記冷却設定値との不一致を異常として検知し、前記冷却動作または前記加熱動作のＰＩＤ制御定数を再設定して、選択された加熱動作または冷却動作と選択されなかった冷却動作または加熱動作とのハンチングを防止することを特徴とする。
【００２３】
本発明の第８の発明の空調装置の使用方法は、第７の発明において、前記内調冷却コイル制御弁の開度または前記空調空間の温度を検出して前記調節外気の前記加熱設定値を初期起動時に比べて低くすることを特徴とする。
【００２４】
本発明の第９の発明の空調装置の使用方法は、第１の発明の空調装置の使用方法であって、前記調節外気の露点温度の目標値を前記空調空間の温度および湿度の設定値から求めて初期設定し、前記空調空間の温度および湿度の許容範囲から、前記調節外気の露点温度の目標値から許容範囲値を減算した加湿設定値と目標値に許容範囲値を加算した除湿設定値とを求め、前記加湿設定値が前記調節外気の露点温度の検出値より高いときは加湿動作を、前記除湿設定値が前記調節外気の露点温度の検出値より低いときは除湿動作を選択し、取り入れる外気の露点温度の検出値が前記除湿設定値よりも高く除湿動作が適正な場合に前記調節外気の露点温度が前記除湿動作により過度に低くなって加湿動作に反転したとき、または前記取り入れる外気の露点温度が前記加湿設定値より低く加湿動作が適正な場合に前記調節外気の露点温度が前記加湿動作により過度に高くなって除湿動作に反転したときに、前記調節外気の露点温度の検出値と前記加湿設定値または前記除湿設定値との不一致を異常として検知し、前記加湿動作または前記除湿動作のＰＩＤ制御定数を再設定して、選択された加湿動作または除湿動作と選択されなかった除湿動作または加湿動作とのハンチングを防止することを特徴とする。
【００２５】
本発明の第１０の発明の空調装置の使用方法は、第９の発明において、前記空調空間の湿度設定値と前記空調空間に設けた湿度検出器によって検出した湿度とから、前記調節外気の露点温度の目標値を補正するカスケード制御を行なうことを特徴とする。
【００２６】
本発明の第１１の発明の空調装置の使用方法は、第１の発明の空調装置の使用方法であって、前記内調冷却コイルに流れる冷水の流量を制御する内調冷却コイル制御弁の開度の減少または前記外調機に取り入れる外気の温度低下を検出して、検出した前記開度の減少または前記検出した温度の低下より取り入れる外気の熱量不足を判定して、第4の発明の空調装置の使用方法を停止することを特徴とする。
【００２７】
本発明の第１２の発明の空調装置の使用方法は、第１の発明の空調装置の使用方法であって、前記外調機に取り入れる外気の温度が前記調節外気の温度の目標値より低くなったときは前記外調機が加熱動作により前記調節外気の温度を前記目標値まで上昇させるとともに加湿動作により前記調節外気の露点温度の調整を行ない、取り入れる外気の温度が戻り冷水の温度より所定の設定値を超えて低いときは、第５の発明の空調装置の使用方法を行なうことを特徴とする。
【００２８】
本発明の第１３の発明の空調装置の使用方法は、第１の発明の空調装置の使用方法であって、前記外調機に取り入れる外気の温度が低温で、かつ前記空調空間による熱負荷が減少したとき、第５の発明の空調装置の使用方法を行なうとともに、前記加熱コイルの加熱出力を上昇させて前記調節外気の温度を上昇させることにより、前記内調冷却コイルの常時冷却動作を維持して、前記加熱コイルの加熱出力上昇分の熱量を前記内調冷却コイルにより熱回収し前記冷熱源装置への戻り冷水の温度を上昇させて前記熱回収コイル内の戻り冷水の凍結防止を図ることを特徴とする。
【００２９】
本発明の第１４の発明の空調装置の使用方法は、第１の発明の空調装置の使用方法であって、前記外調機に取り入れる外気の温度が零下になり、かつ前記空調空間による熱負荷が減少して、前記調節外気の温度を上昇しても前記内調冷却コイルから前記冷熱源装置への戻り冷水の温度が所定の下限値を超えて下がったとき、第５の発明の空調装置の使用方法を停止し、第４の発明の空調装置の使用方法に変更した後、前記加熱コイル制御弁を開けて前記加熱コイルを加熱動作させ、温水を前記熱回収コイルと前記加熱コイルとで循環させることを特徴とする。
【００３０】
本発明の第１５の発明の空調装置の使用方法は、第１の発明の空調装置の使用方法であって、第５の発明の空調装置の使用方法を行なっているとき、前記空調空間の湿度の設定値と前記空調空間に設けた湿度検出器によって検出した湿度から前記空調空間の湿度が前記空調空間の湿度の設定値より下降し、第１０の発明の空調装置の使用方法により加湿動作となり、前記内調冷却コイル制御弁の開度が下限しきい値以下になり、かつ前記内調冷却コイルに供給される冷水の温度が前記空調空間の露点温度を下回る低温のとき、前記冷熱源装置により前記冷水の温度を上げるよう制御を行なうことを特徴とする。
【００３１】
本発明の第１６の発明の空調装置の使用方法は、第１の発明の空調装置の使用方法であって、第５の発明の空調装置の使用方法を行なっているとき、前記空調空間の湿度の設定値と前記空調空間に設けた湿度検出器によって検出した湿度から前記空調空間の湿度が前記空調空間の湿度の設定値より下降し、第１０の発明の空調装置の使用方法により加湿動作となり、前記内調冷却コイル制御弁の開度が上限しきい値以上になったとき、前記冷熱源装置により前記冷水の温度を下げるよう制御を行なうことを特徴とする。
【００３２】
本発明の第１７の発明の空調装置の使用方法は、第１の発明の空調装置の使用方法であって、第４の発明または第５の発明の空調装置の使用方法を行なっているとき、取り入れる外気から回収する熱量と前記外調機および前記内調機が利用する熱量とがバランスして熱量の消費が最小で済むように、第４の発明の空調装置の使用方法を行なっている場合は前記調節外気の温度の検出値と加熱設定値とに基づいて、第５の発明の空調装置の使用方法を行なっている場合は前記冷熱源装置への戻り冷水の温度の検出値と冷水の温度設定値とに基づいて、前記送水ポンプによる送水量の制御を行なうことを特徴とする。
【発明の効果】
【００３３】
第１の発明の空調装置によれば、外気の保有する熱と空調空間の熱負荷を有効利用して温熱および冷熱の消費を低減し、空調装置の制御プロセス内で熱量バランスをリアルタイムで維持しつつ、省エネルギーを図ることができるとともに簡単で合理的な構成の空調装置を提供することができる。
【００３４】
また、前記熱回収コイル切替弁が、前記第１配管乃至前記第４配管にそれぞれ設けられた二方弁であるときには、簡単な熱媒水配管が構成できる。
【００３５】
また、前記熱回収コイル切替弁が、前記第１配管および前記第２配管と前記流入配管との分岐部ならびに前記第３配管および前記第４配管と前記流出配管との分岐部にそれぞれ設けられた三方弁であるときには、切替弁数を少なくすることができ、さらに簡単な熱媒水配管が構成できる。
【００３６】
また、第４の発明の空調装置の使用方法によれば、外気が高温高湿の場合でも高温の外気の保有する熱を利用しての温熱源装置と冷熱源装置の熱消費を低減し、空調装置の制御プロセス内で熱量バランスをリアルタイムで維持しつつ、省エネルギーを図ることができる。
【００３７】
また、第５の発明の空調装置の使用方法によれば、外気が低温の場合でも空調空間の熱負荷を利用して冷熱の消費を低減し、空調装置の制御プロセス内で熱量バランスをリアルタイムで維持しつつ、省エネルギーを図ることができる。
【００３８】
また、第６の発明の空調装置の使用方法によれば、空調空間の温度と湿度を許容範囲内に安定化し、高温高湿時および低温時に熱回収運転ができ、空調装置の省エネルギーを図るとともに空調空間の恒温化と恒湿化とができる。
【００３９】
また、第７の発明の空調装置の使用方法によれば、空調空間の温度を安定化させるとともに、省エネルギーが達成できる。
【００４０】
さらに、第８の発明の空調装置の使用方法によれば、外調機は調節外気の温度の許容範囲の下限値を初期起動時に比べ低くして調節外気を送風することにより加熱コイルと熱回収コイルとの間で熱媒水の熱を利用する熱回収を長時間行なうことができるとともに、取り入れる外気が保有する温熱を広い温度範囲で熱回収でき、回収した熱量と同じ熱量の除湿過冷却冷熱を熱交換するので高温高湿時のエネルギー回収期間が長期にわたって利用でき温熱源装置および冷熱源装置の消費熱を大幅に削減することができ、省エネルギーが達成できる。
【００４１】
また、第９の発明の空調装置の使用方法によれば、空調空間の湿度を安定化することができ、省エネルギーが達成できる。
【００４２】
さらに、第１０の発明の空調装置の使用方法によれば、調節外気の露点温度は取り入れる外気の湿度の変化にかかわらず最適値となり、空調空間の温度は内調機によって制御されることで空調空間の恒温、恒湿条件の目標到達感度を向上することができる。
【００４３】
また、第１１の発明の空調装置の使用方法によれば、空調空間に熱負荷が無い場合は外調機の加熱コイル出力を増加して空調空間が常に加熱動作要求となるよう制御し、加熱コイルの出力増加により熱回収コイルと冷却コイルの冷水の凍結事故を回避するとともに、加熱コイルの加熱熱量は内調冷却コイルで熱交換された冷水を熱回収コイルと外調冷却コイルに通水することにより外調機に取り入れる低温の外気を加熱することができ、加熱熱量を回収利用することができる。
【００４４】
また、第１２の発明の空調装置の使用方法によれば、空調空間の温度と湿度の要求条件を逸脱させることなく外気が保有する熱の回収利用が限界まで行なえることで温熱源装置および冷熱源装置の消費熱を大幅に削減することができ、省エネルギーが達成できる。
【００４５】
また、第１３の発明の空調装置の使用方法によれば、過度の冷熱回収による冷水の温度低下を防止し、内調機の冷却動作による除湿を防止することで外調機の加湿負荷を増大させないようにすることと外気の温度と湿度が急激に変化した時に冷水温度を昇温させることとを防止して、冷熱源装置の負荷を増大させないようにすることができる。
【００４６】
また、第１4の発明の空調装置の使用方法によれば、内調冷却コイルの常時冷却動作を維持して外調機の加熱コイルの加熱出力上昇分の温熱エネルギーを内調冷却コイルにより熱回収して冷熱源装置への戻り冷水温度を昇温させることで熱回収コイル内の冷水の凍結防止を図るとともに、低温時の熱回収運転を行なうよう制御することにより、空調空間の設定温度と設定湿度とを満足させるとともに、加熱コイルの加熱熱量は内調冷却コイルで熱交換された冷水を熱回収コイルと外調冷却コイルとに通水することにより外調機に取り入れる低温の外気を加熱することができ、加熱コイルの加熱熱量を回収利用することができる。
【００４７】
また、第１５の発明の空調装置の使用方法によれば、外調機が取り入れた外気を加湿しているときに、内調機の低温冷水による空調空間への給気の除湿を防止することができる。
【００４８】
また、第１６の発明の空調装置の使用方法によれば、外調機が取り入れた外気を加湿しているときに、内調機の冷却能力不足（空調空間の温度上昇）による相対湿度の下降を防止することができる。
【００４９】
また、第１７の発明の空調装置の使用方法によれば、外気が高温高湿のときは外気の温熱回収の行ないすぎを防止して内調機に対して熱負荷とならない調節外気の温度を維持でき、外気の温熱と外調機の除湿過冷却冷熱を熱交換することができるので、回収熱が最大利用できるとともに、送水ポンプの搬送動力を削減することができる。さらに、低温時は冷水の温度を一定に維持することと冷水を熱回収コイルと外調冷却コイルに流すこととで熱回収コイルの送水ポンプの搬送動力を削減することができる。
【発明を実施するための最良の形態】
【００５０】
本発明の実施形態に係る空調装置の構成を図１から図３用いて説明する。本発明の実施形態に係る空調装置は、図１から図３に示すように、外気（ＯＡ）を通過させる順に熱回収コイル１１、外調冷却コイル１２、加熱コイル１３および加湿器１７を備えるとともに外調送風ファン１０１を備え、外気を取り入れて調節外気（ＳＯＡ）として供給する外調機１と、内調冷却コイル２１および内調送風ファン１０２を備え、調節外気（ＳＯＡ）と空調空間３０からの還気（ＲＡ）とを混合して、空調空間３０に給気（ＳＡ）する内調機２０と、外調機１０との間で温水を循環供給する温熱源装置５０と、外調機１０および内調機２０との間で冷水を循環供給する冷熱源装置４０と、から構成され、外調冷却コイル１２は冷熱源装置４０の冷水供給配管４１との間に外調冷却コイル１２への冷水の流量を制御する外調冷却コイル制御弁１２１を備え、加熱コイル１３は温熱源装置５０の温水戻配管５２との間に加熱コイル１３への温水の流量を制御する加熱コイル制御弁１２２を備え、加湿器１４は加湿器１４への加湿用蒸気または加湿用給水の流量を制御する加湿器制御弁１２３を備え、内調冷却コイル２１は内調冷却コイル２１への冷水の流量を制御する内調冷却コイル制御弁１２４を備え、熱回収コイル１１は、温熱源装置５０への温水戻配管５２に加熱コイル１３への分岐部および加熱コイル制御弁１２２をこの順に介して接続された第１配管５３および冷熱源装置４０からの冷水供給配管４１に外調冷却コイル１２への分岐部および外調冷却コイル制御弁１２１をこの順に介して接続された第２配管４３が接続された熱媒水の流入配管１５と、入配管１５に直列接続された送水ポンプ１２０と、温熱源装置５０からの温水供給配管５１に加熱コイル１３への分岐部を介して接続された第３配管５４および冷熱源装置４０への冷水戻配管４２に接続された第４配管４４に接続された熱媒水の流出配管１６と、第１配管５３および第２配管４３と流入配管１５との間ならびに第３配管５４および第４配管４４と流出配管１６との間でそれぞれの熱媒水を温水または冷水に切り替える熱回収コイル切替弁１１１、１１２、１１３、１１４とを備えている。
【００５１】
外調冷却コイル１２の冷水流出側は外調冷却コイル冷水戻配管４５を介して冷水戻配管４２に接続されている。
【００５２】
加湿器１７には通過する外気に直接加湿用蒸気または水噴霧を行なうため加湿器制御弁１２３を備えた加湿用配管１７が接続されている。
【００５３】
内調機２０の内調冷却コイル２１の冷水の流入側の内調冷却コイル冷水供給配管４６には冷熱源装置４０から加圧供給される冷水を供給する冷水供給配管４１が接続されており、冷水の流出側の内調冷却コイル冷水戻配管４７には内調冷却コイル制御弁１２４を備え、冷熱源装置４０へ冷水を戻す冷水戻配管４２へ接続されている。
【００５４】
なお、本発明に係る熱回収コイル切替弁の実施形態を熱回収コイル１１に接続する熱媒水の流路となる流入配管１５および流出配管１６に接続された第１配管乃至第４配管５３、４３、５４、４４にそれぞれ備えられた二方弁である熱回収コイル開閉弁１１１、１１２、１１３、１１４を用いて説明するが、熱回収コイル切替弁が、第１配管５３および第２配管４３と流入配管１５との分岐部ならびに第３配管５４および第４配管４４と流出配管１６との分岐部にそれぞれ備えられた三方弁であってもよい。
【００５５】
また、外調機１０は外気(ＯＡ)を取り入れる外気ダクト１と、外調機で温度と湿度を調節した調節外気(ＳＯＡ)を内調機２０の手前まで、または空調空間３０へ直接供給する調節外気ダクト２を備えており、内調機２０は内調機２０の手前まで調節外気ダクト２と空調空間３０から還気（ＲＡ）を導入する還気ダクト４と内調機２０から空調空間３０へ給気(ＳＡ)を供給する給気ダクト３を備える。外調機１０では外気ダクト１から導入した外気（ＯＡ）を熱回収コイル１１、外調冷却コイル１２、加熱コイル１３、加湿器１４の順に通過させ温度と湿度を調節した調節外気（ＳＯＡ）を外調送風ファン１０１により内調機２０へ供給する。内調機２０では、外調機１０から供給される調節外気（ＳＯＡ）と空調空間３０からの環気（ＲＡ）を混合して、内調冷却コイル２１にて温度調節した空気を内調送風ファン１０２にて空調空間３０へ給気（ＳＡ）として供給する。
【００５６】
本発明に係る空調装置では、前段の外調機１０により取り入れた外気（ＯＡ）の湿度の調整を主として行わせて空調空間３０への外気の湿度による外乱を事前に抑えることができ、後段の内調機２０を空調空間３０の熱負荷に対応し冷却処理する単一機能とすることにより空調空間３０が要求する温度と湿度に対して安定度が高い空調空間３０の温度と湿度が維持でき、設備構成も簡潔にできる。外調機１０が取り入れる外気（ＯＡ）の量は空調空間３０から強制的に排気または漏出する排気（ＥＡ）の量と同量となり空調空間３０の換気が行われる。
【００５７】
また、本発明に係る空調装置には制御装置１００が備えられ、制御装置１００はＰＬＣ（プログラマブル、ロジック、コントローラ）とＰＣ（パーソナルコンピュータ）等で構成されている。以降記載の制御機能を実施できれば特に限定されない。図示していないが、制御装置１００は各機器と電気的に接続され、外調機１０の入口に設けられた温度検出器１３１と湿度検出器１３２、外調機の出口に設けられた調節外気（ＳＯＡ）の温度検出器１３３と露点温度検出器１３４、空調空間３０に設けられた温度検出器１３５と湿度検出器１３６、熱回収コイル１１の流入配管１５に設けられた熱媒水の温度検出器１３７と流出配管１６に設けられた熱媒水の温度検出器１３８、流量検出器１４０、外調冷却コイルの流出側の外調冷却コイル冷水戻配管４５に設けられた戻冷水の温度検出器１３９の各検出値を入力とし、空調空間３０の要求する温度と湿度に応じ、外調機１０の外調冷却コイル制御弁１２１と加熱コイル制御弁１２２と加湿器制御弁１２３の容量制御と、熱回収コイル切替弁１１１、１１２、１１３、１１４の開/閉、送水ポンプ１２０の運転（ＯＮ）/停止（ＯＦＦ）、回転数制御と外調送風ファン１０１の運転（ＯＮ）/停止（ＯＦＦ）、回転数制御と内調送風ファン１０２の運転（ＯＮ）/停止（ＯＦＦ）、回転数制御および冷熱源装置４０と温熱源装置５０の制御装置とを通信にて連携制御できる空調装置の使用方法としている。    
【００５８】
本発明の空調装置の各機器および配管の構成は以上説明したとおりであり、これ以降は本発明の空調装置について、本発明に係る外調機１０と内調機２０の負荷変化による基本的な空調装置の使用方法の変化について図１、２、３を用いて説明する。
【００５９】
図１は本発明の実施形態に係る空調装置の外気が中間時の構成図である。図１は空調装置の起動初期および外調機１０が取り入れる外気の温度および湿度が空調空間３０の要求する温度および湿度の許容範囲内にあるときの構成を示している。熱回収コイル１１の熱回収コイル切替弁１１１、１１２、１１３を閉じ、熱回収コイル切替弁１１４を開け（なお、切替弁１１４のみの開は閉塞管路による圧力上昇を防止している）、送水ポンプ１２０を停止して、熱回収コイル１１は機能停止状態にある。また、外調冷却コイル１２の外調冷却コイル制御弁１２１は閉止され、外調冷却コイル１２も機能停止状態にある。また、加熱コイル１３の加熱コイル制御弁１２２は閉止され、加熱コイル１３も機能停止状態にある。
また、加湿器１４の加湿器制御弁１２３は閉止され、加湿器も機能停止状態にある。内調機２０の内調冷却コイル制御弁１２４は閉止され、内調冷却コイル２０は機能停止状態にある。
【００６０】
図１の本発明に係る空調装置の使用方法は、外調機１０は外調機１０の熱回収コイル１１と外調冷却コイル１２、加熱コイル１３、加湿器１４とを停止し無負荷とするとともに、外調送風ファン１０１により送風運転を行ない、内調機２０は空調空間３０からの還気（ＲＡ）と外調機１０からの調節外気（ＳＯＡ）を混合し、混合空気を外調空調空間３０に給気を行う。また、内調機２０は外調機１０からの調節外気（ＳＯＡ）と空調空間３０からの還気（ＲＡ）とを混合し、混合した混合空気を空調空間３０に送風供給して、空調空間３０の換気を行なう。
【００６１】
図２は本発明の実施形態に係る空調装置の外気が高温高湿時の構成図である。図２は外調機１０が取り入れる外気（ＯＡ）が高温高湿で空調空間の要求する温度および湿度の許容範囲を超える関係にあるときの構成を示す。熱回収コイル１１の熱回収コイル切替弁１１１と１１２は開いた状態、熱回収コイル切替弁１１３と１１４を閉じた状態にある。外調冷却コイル１２の外調冷却コイル制御弁１２１は開いた状態にあり、冷熱源装置４０から冷水が供給状態にある。加熱コイル１３の加熱コイル制御弁１２２は閉止状態にある。加湿器１７の加湿器制御弁１２３は閉止状態にある。内調冷却コイル２１の内調冷却コイル制御弁は開いた状態にある。
【００６２】
説明した図２のような切替弁、制御弁の状態で、熱回収コイル１１の流入側配管１５に設けられた送水ポンプ１２０を運転することにより、熱媒水は加熱コイル１３の熱媒水の流出側から第１配管５３と切替弁１１１と流入配管１５を経て送水ポンプ１２０に至り、熱回収コイル１１を通過して流出配管１６と切替弁１１２と第３配管５４を通過し加熱コイル１３の流入側に至る取り入れる外気（ＯＡ）が高温高湿時の循環流路が形成され、熱回収コイル１１では取り入れた通過する外気を予冷し、加熱コイル１３では通過する外気を加熱する熱媒水の通水が可能になる。なお、第３配管５４は加熱コイル配管分岐部を介して温水供給配管５１へ接続されて温熱源装置５０と接続されており閉塞配管による圧力上昇を防止している。
【００６３】
次に熱回収コイル１１と外調冷却コイル１２と加熱コイル１３を通過する外気および熱回収コイルと加熱コイルの循環流路を循環する熱媒水の挙動を説明する。まず、取り入れた高温高湿の外気（ＯＡ）が熱回収コイル１１を通過すると熱回収コイル１１において熱媒水と熱交換を行ない、外気は熱媒水により予冷されて外調冷却コイル１２側へ通過し、熱回収コイル１１の熱媒水は外気により加熱され温度が上がり、送水ポンプ１２０と循環流路により加熱コイル１３へ送水される。次に、予冷された外気は外調冷却コイル１２を通過すると外気はさらに過冷却除湿され加熱コイル側へ通過し、冷水は予冷された外気により加熱され冷熱源装置４０へ戻される。次に、過冷却除湿された外気は加熱コイル１３を通過すると加熱コイル１３において循環流路の熱媒水と熱交換を行ない、過冷却除湿された外気は空調空間が要求する所定の温度まで熱媒水により加熱され加湿器１４側に通過し、加熱コイル１３の熱媒水は過冷却除湿された外気によって冷却され送水ポンプ１２０と循環流路により熱回収コイル１１に送られる。循環流路の熱媒水は熱回収コイル１１において外気の予冷用冷水として使用され、熱回収コイル１１では取り入れた高温高湿の外気より受け取った温熱が熱媒水へ移動し加熱コイル１３へ送られ加熱用温水として利用される。この様に、外気の温熱と過冷却除湿による冷熱の利用が循環流路と送水ポンプにより連続的に行なわれることとなり、冷熱源装置４０と温熱源装置５０との発生熱を同時に削減する省エネルギーが図れる。
【００６４】
図３は本発明の実施形態に係る空調装置の外気が低温時の構成図である。図３は外調機１０が取り入れる外気（ＯＡ）の温度が低温状態で空調空間３０の要求する温度および湿度の許容範囲を下回る関係にあるときの構成を示す。熱回収コイル１１の熱回収コイル切替弁１１１と１１２は閉じた状態、熱回収コイル切替弁１１３と１１４は開いた状態にある。外調冷却コイル１２の外調冷却コイル制御弁は１２１を閉止した状態にある。加熱コイル１３の加熱コイル制御弁１２２は開いており、加熱コイルは加熱可能状態にある。加湿器１４の加湿器制御弁１２３は開いており、加湿器１４は加湿可能状態にある。内調冷却コイル２１の内調冷却コイル制御弁１２４は開いており、内調冷却コイルは冷却可能状態にある。
【００６５】
説明した図３の切替弁、制御弁の状態で、熱回収コイル１１の流入配管１５に設けられた送水ポンプ１２０を運転することにより、内調冷却コイル２１の戻り冷水を、内調冷却コイル２１から冷熱源装置４０への冷水の冷水戻管路４２から外調冷却コイル冷水戻配管４５をへて外調冷却コイル１２の流出側へ逆流させ、順に外調冷却コイル１２の流入側から熱回収コイル切替弁１１３を備えた第２配管４３、送水ポンプ１２０を備えた流入配管１５を経て熱回収コイル１１を通過させ、熱回収コイル１１の流出配管１６、熱回収コイル切替弁１１４を備えた第４の配管４４を経て冷水戻配管４２に戻すことができる。このように内調冷却コイル２１で使用した戻り冷水を外調冷却コイルと熱回収コイルに通水する、取り入れる外気（ＯＡ）が低温時の戻り冷水のバイパス循環流路を形成することができる。なお、外調冷却コイル冷水戻配管４５は冷水戻配管４２を介して冷熱源装置４０へ接続されており、閉塞配管による圧力上昇を防止している。
【００６６】
このバイパス循環流路を使用して、取り入れる外気（ＯＡ）が低温時の戻り冷水と外気の挙動を説明する。冷熱源装置４０より加圧送水された冷水は冷水供給配管４１と内調冷却コイル冷水供給配管４６を介して内調冷却コイル２１に供給される。内調機２０では空調空間３０の熱負荷により加熱された還気（ＲＡ）と外調機１０から送風された調節外気（ＳＯＡ）を混合し、混合空気を冷却して混合空気の温度を調節して、給気（ＳＡ）として空調空間３０へ内調送風ファン１０２により供給し、空調空間３０の熱負荷に対応した冷却を行なう。内調冷却コイル２１に供給された冷水は内調冷却コイル２１において混合空気と熱交換を行ない、温度上昇して、戻り冷水として内調冷却コイル制御弁１２４を備えた内調冷却コイル冷水戻配管４７を介して冷熱源装置４０の冷水戻配管４２に戻される。さらに戻り冷水は冷水戻配管４１の内調機２０側から、外調冷却コイル冷水戻配管４５を逆流して外調冷却コイル１２へ供給される。外調冷却コイル１２では熱回収コイル１１を通過してきた外気と戻冷水は熱交換を行ない、熱回収コイル１１を通過してきた外気は温度上昇した戻冷水により予熱されて加熱コイル１３へ通過し、戻冷水は熱回収コイル１１を通過してきた外気により冷却されて外調冷却コイル１２の流入側配管を逆流して熱回収コイル切替弁１１３を備えた第２の配管４３と送水ポンプ１２０を備えた流入配管１５を介して熱回収コイル１１に供給される。熱回収コイル１１では、取り入れた低温の外気（ＯＡ）と外調冷却コイルで使用された戻り冷水とが熱交換を行ない、取り入れた外気（ＯＡ）は戻り冷水により予熱されて温度上昇して外調冷却コイル１２へ通過し、戻り冷水は取り入れた外気（ＯＡ）により冷却されて、流出配管１６と熱回収コイル切替弁１１４を備えた第４配管４４を介して冷水戻配管４２の冷熱源装置４０側に戻される。
【００６７】
このように、内調冷却コイル２１の空調空間３０の熱負荷により温度上昇した戻り冷水を外調冷却コイル１２および熱回収コイル１１にバイパス循環するバイパス循環流路を形成することにより、熱回収コイル１１と外調冷却コイル１２を通過する取り入れた低温の外気（０Ａ）が予熱されることで加熱コイル１３の温熱源装置５０から供給される温水の消費を削減できる。この様に取り入れる外気（ＯＡ）の冷熱と空調空間３０の熱負荷による温熱の相互利用が連続的に行なわれることで、冷熱源装置４０と温熱源装置５０との発生熱が同時に削減され、省エネルギーを図ることができる。
【００６８】
次に本発明に係る空調装置の使用方法についての動作状態を図１、２、３に対応する図４、５、６の空気線図を用いて説明する。
【００６９】
図４は本発明の実施形態に係る空調装置の中間時の外調機空気線図である。図４は空調装置の起動初期および外調機１０が取り入れる外気の温度および湿度が空調空間の要求する温度および湿度の許容範囲内にある時（中間時）の外調機の空気線図であり、図１の外調機の空気の状態を表す。起動初期の外調機１０が供給する調節外気の温度と露点温度の目標値は、空調空間の設定値とその同一値から、温度目標値（ＭＴ）に対して±許容偏差を持った冷却設定値（ＭＴ＋）と加熱設定値（ＭＴ−）を決め、湿度目標値（ＭＨ）に対して±許容偏差を持った湿度許容上限値（ＭＨ＋）と湿度許容下限値（ＭＨ−）を決める。これらの温度目標値（ＭＴ）および冷却設定値（ＭＴ＋）、加熱設定値（ＭＴ−）と湿度目標値（ＭＨ）および湿度許容上限値（ＭＨ＋）、湿度許容下限値（ＭＨ−）とから、図４の中間時の外調機空気線図において、調節外気の露点温度目標値（ＭＤ）と除湿用露点温度設定値（ＭＤ＋）と加湿用露点温度設定値（ＭＤ−）が求められる。除湿用露点温度設定値（ＭＤ＋）、加湿用露点温度設定値（ＭＤ−）と、冷却設定値（ＭＴ＋）、加熱設定値（ＭＴ−）と、湿度許容上限値（ＭＨ＋）、湿度許容下限値（ＭＨ−）とで囲まれた図４に示すＭ部分が外調機１０の外気の調節を行なわない不感帯（Ｍ）となる。
【００７０】
制御装置１００は、空調装置の起動後所定時間が経過すれば、外調機の外気（ＯＡ）の取り入れ口に設けた外気温度検出器１３１によって検出された外気温度（ＯＡＴ）と外気湿度検出器１３２によって検出された外気湿度（ＯＡＨ）により外気露点温度（ＯＡＤ）を演算している。なお、外気温度検出器１３１と外気湿度検出器１３２に代わり、露点温度検出器により直接外気露点温度を検出してもよい。さらに調節外気（ＳＯＡ）の温度検出器１３３よって調節外気温度（ＳＡＴ）が、露点温度検出器１３４によって調節外気露点温度（ＳＡＤ）が検出され、検出した検出値と目標値の許容偏差値（ＭＴ＋、ＭＴ−、ＭＨ＋、ＭＨ−、ＭＤ＋、ＭＤ−）に基づいて、次にすべき動作の判定を行なっている。
【００７１】
たとえば、図４において取り入れる外気（ＯＡ）が除湿用露点温度設定値（ＭＤ＋）より上の除湿動作領域（ＤＲＹ）にあるときは除湿動作を行ない後述する図５の動作へ遷移し、逆に加湿用露点温度設定値（ＭＤ−）より下の加湿動作領域（ＷＥＴ）にあるときは後述する加湿動作を行ない、後述する図６の動作へ遷移する。また、外気が除湿用露点温度設定値（ＭＤ＋）と加湿用露点温度設定値（ＭＤ−）との間にあり、加熱設定値（ＭＴ−）より温度が低く加熱動作領領域（ＨＴＧ）にあるときは加熱設定値（ＭＴ−）まで加熱動作を行ない、冷却設定値（ＭＴ＋）より温度が高く冷却動作領域（ＣＬＧ）にあるときは冷却設定値（ＭＴ＋）まで冷却動作を行ない不感帯（Ｍ）内に温度が安定するよう制御する。
【００７２】
取り入れる外気（ＯＡ）の温度と湿度が空調空間３０の設定値に近く、取り入れる外気（ＯＡ）が外調機１０の不感帯（Ｍ）内にあるときは、外調機１０では冷水、温水、加湿用蒸気または加湿用給水の消費が無く、取り入れた外気（ＯＡ）の調節を行なわずにそのまま内調機へ送風する送風運転が行なわれる。
【００７３】
図５は本発明の実施形態に係る空調装置の外気が高温高湿時の外調機空気線図である。外調機１０が取り入れる外気（ＯＡ）が高温高湿で空調空間の要求する温度および湿度の許容範囲を超える関係にあるときの高温高湿時の外調機空気線図であり、図２の高温高時の熱回収運転による熱利用の状態を表わしている。取り入れ外気（ＯＡ）が除湿用露点温度設定値（ＭＤ＋）以上であって、図５の除湿動作領域（ＤＲＹ）中のｓ点にある場合は、外気（ＯＡ）は熱回収コイル１１にてｓ点からａ点まで予冷され、次に外調冷却コイル１２にて除湿用露点温度設定値（ＭＤ）になるようｂ点まで冷却除湿される。その後、加熱コイル１３で熱回収コイル１１から循環される熱媒水によりｃ点まで加熱され内調機２０へ調節外気（ＳＯＡ）が供給される。
【００７４】
なお、熱回収コイル１１の予冷による図５の回収熱量を高温高湿時熱回収予冷熱量とすると、高温高湿時熱回収予冷熱量は１．２（ｋｇ／ｍ３）×（ｅｓ１−ｅｓ２）×Ｑ（ｍ３／Ｈ）、加熱コイル１３の加熱による回収熱量を高温高湿時熱回収加熱熱量とすると、高温高湿時熱回収加熱熱量は１．２（ｋｇ／ｍ３）×（ｅｓ３−ｅｓ４）×Ｑ（ｍ３／Ｈ）、で算出でき、１．２（ｋｇ／ｍ３）は空気密度、Ｑ（ｍ３／Ｈ）は送風量、（ｅｓ１−ｅｓ２）と（ｅｓ３−ｅｓ４）は比エンタルピー差である。この高温高湿時熱回収予冷熱量と高温高湿時熱回収加熱熱量は等しい熱量である。
【００７５】
また、図５は初期の目標値である除湿用露点温度設定値（ＭＤ＋）を湿度目標値（ＭＨ）による、調節外気の露点温度のカスケード設定処理状態を表わしている。空調空間の湿度目標値（ＭＨ）と空調空間の検出された空調空間湿度（ＫＨ）を比較し湿度ＰＩＤ演算を行い湿度目標値（ＭＨ）より空調空間湿度（ＫＨ）が高い場合、調節外気露点温度目標値（ＭＤ）へマイナスの利得を加算し、湿度目標値（ＭＨ）より空調空間湿度（ＫＨ）が低い場合、プラスの利得を加算するカスケード制御による調節外気露点温度目標値（ＭＤ）の設定変更をしている。この使用方法によれば、最終目標としている空調空間の湿度目標値（ＭＨ）と空調空間湿度（ＫＨ）を一致させるよう外調機の最適な調節外気露点温度目標値（ＭＤ）を決定できる。このように除湿用露点温度設定値（ＭＤ＋）を湿度目標値（ＭＨ）によるカスケード制御による自動設定変更動作を行っているので、起動初期に比較し加湿動作領域（ＤＲＹ）が下のほうへ修正設定されて加湿動作領域（ＤＲＹ）が拡大されている。実際には露点温度の許容範囲ごと移動させていて、除湿用露点温度設定値（ＭＤ＋）と加湿用露点温度設定値（ＭＤ−）の各設定間の絶対値は変化しない。この使用方法により従来一般的に利用している湿度目標値（ＭＨ）を意識するのみで利用者は使用できるので、複雑な設定値を理解することなく使用することができる。
【００７６】
なお、この高温高湿時熱回収運転を実施しているときは、冷却設定値（ＭＴ＋）を過剰熱回収防止設定値として使用する。これは熱回収コイル１１の熱交換回収容量を過熱コイル１３の再熱熱量とすることにより熱回収の行ないすぎを防止しているが、仮に、高温高湿の外気（ＯＡ）の温熱の熱回収量が過大となり調節外気の温度上昇が見られた場合は送水ポンプ１２０のインバータ制御を行なって外気温熱回収量の抑制を行ない内調機２０への過負荷防止を図ることができる。また加熱設定値（ＭＴ−）は高温高湿時熱回収運転を実施しているときは機能しないように制御している。これは、外気の保有する温熱量の有効利用範囲を幅広く利用するための措置であり、空調空間３０の熱負荷が十分あり、外調機１０の調節外気（ＳＯＡ）の温度が低下しても内調機２０へは負荷とならないため、内調機２０が安定した冷却動作である温度範囲では外調機１０による温度制御を行なわない様にしている。ただし、外気が保有する温熱量が減少するか、または、空調空間３０の熱負荷が減少して高温高湿時熱回収運転を続行することが不可能な場合は内調冷却コイル２１の冷水の流量（内調冷却コイル制御弁の開度）、取り入れる外気の温度、比エンタルピーのしきい値をもって熱回収の限界を判定し、起動初期の状態（図４の状態）へ復帰させる制御を行なう使用方法を備えている。
【００７７】
図６は本発明の実施形態に係る空調装置の外気が低温時の外調機空気線図である。外調機１０が取り入れる外気（ＯＡ）が低温で、外気が空調空間の要求する温度および湿度の許容範囲を下回る関係にあるときの低温時の外調機空気線図であり、図３の低温時の熱回収運転による熱利用の状態を表わしている。図６の外調機空気線図において、取り入れ外気（ＯＡ）が加湿用露点温度設定値（ＭＤ−）以下であって図中の加湿動作領域（ＷＥＴ）のｗ点にある場合には、取り入れ外気（ＯＡ）は熱回収コイル１１によりｗ点からａ１点に予熱され、次に外調冷却コイル１２によりａ１点からｂ１点へ予熱され、加熱コイル１３によりｂ１からｃ１点まで加熱され、次に加湿用露点温度設定値（ＭＤ−）まで加湿器２４により加湿されて内調機２０へ調節外気（ＳＯＡ）として供給される。
【００７８】
なお、図６に記載の熱回収コイル１１の予熱による回収熱量を低温時熱回収予熱熱量とすると低温時熱回収予熱熱量は１．２（ｋｇ／ｍ３）×（ｅｗ２−ｅｗ１）×Ｑ（ｍ３／Ｈ）で、外調冷却コイル１３の予熱による回収熱量を低温時熱回収再熱熱量とすると低温時熱回収再熱熱量は１．２（ｋｇ／ｍ３）×（ｅｗ３−ｅｗ２）×Ｑ（ｍ３／Ｈ）で算出でき、１．２（ｋｇ／ｍ３）は空気密度、Ｑ（ｍ３／Ｈ）は送風量、（ｅｗ２−ｅｗ１）と（ｅｗ３−ｅｗ２）は比エンタルピー差である。
【００７９】
また、図６は、初期の目標値である加湿用露点温度設定値（ＭＤ−）を湿度目標値（ＭＨ）による、調節外気の露点温度のカスケード設定処理状態を表わしている。空調空間の湿度目標値（ＭＨ）と空調空間の検出された空調空間湿度（ＫＨ）を比較し湿度ＰＩＤ演算を行い湿度目標値（ＭＨ）より空調空間湿度（ＫＨ）が高い場合、調節外気露点温度目標値（ＭＤ）へマイナスの利得を加算し、湿度目標値（ＭＨ）より空調空間湿度（ＫＨ）が低い場合、プラスの利得を加算するカスケード制御による調節外気露点温度目標値（ＭＤ）の設定変更をしている。この使用方法によれば、最終目標としている空調空間の湿度目標値（ＭＨ）と空調空間湿度（ＫＨ）を一致させるよう外調機の最適な調節外気露点温度目標値（ＭＤ）を決定できる。
【００８０】
このように加湿用露点温度設定値（ＭＤ−）を湿度目標値（ＭＨ）によるカスケード制御による自動設定変更動作を行なっているので、起動初期に比較して加湿動作領域（ＷＥＴ）が上の方へ修正設定され加湿動作領域（ＷＥＴ）が拡大されている。実際には露点温度の許容範囲ごと移動させていて、高温高湿時と逆動作である。湿度目標値（ＭＨ）を意識するのみで利用者は利用できるので、複雑な設定値を理解する必要なく使用することができる。
【００８１】
なお、この低温時熱回収運転を実施しているときは、冷却設定値（ＭＴ＋）と、加熱設定値（ＭＴ−）は機能しないように制御し、極力広い範囲の外気温度条件で熱回収を行う為に、低温時調節外気温度目標値（ＴＬ）を外調機の調節外気温度設定値としている。これは、外調機１０が内調機２０へ供給する調節外気（ＳＯＡ）の温度を極力低くすることにより加熱コイル１３の加熱負荷の低減と、内調機２０の冷却動作の助勢をする目的もある。
【００８２】
また、外調機が取り入れる外気（ＯＡ）が低温時熱回収運転開始時より一層低温になった場合は、熱回収の行いすぎを防止するため送水ポンプ１２０のインバータの制御を行ない、外気冷熱回収量の抑制を行ない、冷熱源装置４０への戻り冷水の過冷却防止を図ることができる。また、空調空間３０の熱負荷が減少して内調機２０の運転が冷却動作続行不能と判断した場合は、外調機１０の給気温度目標値を暖房用給気温度目標値（ＴＨ）に切り替え、外調機１０の加熱コイル１３の出力を増大させて空調空間３０へ高温の調節外気（ＳＯＡ）の供給を行なう。
【００８３】
図６において、ｂ１点からｃ２点に加熱コイル１３の加熱範囲が大きくなっている。これにより内調機２０は安定した冷却動作へ復帰し、内調機２０と外調機１０間の低温時熱回収運転を続行する。ただし、さらに、外気温度が低下し零下マイナスとなるか、または、空調空間の熱負荷が減少して外調機の熱回収コイル１１と外調冷却コイル１２が凍結するおそれとなった場合は、低温時熱回収運転を断念して機器保護のため、内調冷却コイル２１の冷水の流量（内調冷却コイル制御弁の開度）、取り入れる外気の温度、比エンタルピーのしきい値をもって限界を判定し、高温高湿時熱回収運転の状態（図２の状態）へ流路を変更し、加熱コイル制御弁１２２を開く制御を行ない、熱回収コイル１１に温水を通水させて、凍結防止する制御を行なう使用方法を備えている。
【００８４】
図７は本発明の実施形態に係る空調装置の内調機空気線図である。内調機２０が外調機１０から供給された調節外気（ＳＯＡ）と空調空間３０からの還気（ＲＡ）を混合し、混合空気を冷却して空調空間３０に給気して空調空間３０の熱負荷を除去する状態を表す内調機空気線図であり、内調機２０の空気調節状態を現してしている。空調空間３０に熱負荷がある場合は外調機１０からの図７のＯ点の調節外気（ＳＯＡ）と空調空間３０からの図７のＭ点の還気（ＲＡ）を混合して調節外気（ＳＯＡ）と還気（ＲＡ）の風量案分比により図７のＸ点の混合空気が求まる。このＸ点の混合空気をＳ点の空気に冷却するのが内調機２０の内調冷却コイル２１による冷却熱負荷である。
【００８５】
調節外気（ＳＯＡ）の温度が低く、空調空間３０の熱負荷が減少すると内調冷却コイル２１の安定した冷却動作が維持できなくなるので外調機１０の調節外気（ＳＯＡ）の温度を上げて調節して内調冷却コイル２１が安定した冷却運転を維持する制御を行なう。本発明は、内調機２０の内調冷却コイル２１にて熱交換して熱回収する熱負荷はさらに外調機１０において熱回収利用されるため、従来からあった他の熱利用系と連携した熱回収利用に見られる時間的、熱量的に依存性のある空調装置から脱却した空調装置および空調装置の使用方法と言える。
【００８６】
図８は本発明の実施形態に係る空調装置の制御動作のフロー図である。空調装置の起動が行なわれると、後述する各ステップのシーケンス制御、ＰＩＤ制御が実行される。まず外調機１０、内調機２０の状態変化に対するインターロック処理（Ｓ１０１）を行なう。次に、空調装置の制御装置１００は起動すると各検出値のリフレッシュおよび関係する制御御パラメータを読み込みと制御データの演算（Ｓ１０２）を行なう。検出された各温度の検出値と目標とする各温度の設定値の関係から外調機の調節外気温度設定と制御のモード判定処理（Ｓ１０３）を行なう。判定された調節外気温度の制御モードによる温度ＰＩＤ制御（Ｓ１０４）を実行する。空調空間３０の湿度によるカスケード制御を行ない調節外気の露点温度の目標値を決定（Ｓ１０５）する。検出された各湿度、露点温度と決定された調節外気の露点温度目標値の関係から調節外気の露点温度制御のモード判定（Ｓ１０６）を行なう。
【００８７】
決定された調節外気の露点温度の制御モードによる露点温度ＰＩＤ制御を実行処理（Ｓ１０７）する。温度制御と湿度制御（露点温度制御）の操作量を監視して除湿モード制御中を判定処理（Ｓ１０８）する。除湿モード、外気条件などの高温高湿時熱回収制御モードであるかの判定と制御モード処理（Ｓ１０９）を行なう。外気条件などの低温時熱回収制御モード処理であるかの判定と制御モード処理（Ｓ１１０）を行なう。高温高湿時の熱回収実行処理（Ｓ１１１）を行なう。低温時の熱回収実行処理（Ｓ１１２）を行なう。低温時の空調空間の熱負荷低下時の低温時空調空間暖房処理（Ｓ１１３）を行なう。低温期の極寒時の凍結事故防止処理（Ｓ１１４）を行なう。外気条件が無負荷な中間時処理（Ｓ１１５）を行う。内調機温度制御実行処理（Ｓ１１６）を行なう。
【００８８】
内調機負荷状況（内調冷却コイル制御弁の開度または空調空間温度の変化）と外調機制御モードの監視を行ない冷熱源装置に対する冷水温度設定変更処理（Ｓ１１７）を行なう。本発明に係るのは上記フローチャートにおいてステップ（Ｓ１０３）と（Ｓ１０６）の制御モード判定とステップ（Ｓ１０９）と（Ｓ１１０）の熱回収制御モードの判定処理である。
【００８９】
（インターロック処理）
図９は図８に示したインターロック処理のフロー図である。外調送風ファン１０１が起動されたか否かを判断（Ｓ２０１）し、ＯＦＦのままで起動されていない時は外調冷却コイル１２の外調冷却コイル制御弁１２１、加熱コイル１３の加熱コイル制御弁１２２、加湿器１４の加湿器制御弁１２３をインターロック閉（Ｓ２０２）とする。さらに、熱回収モードを切り替える熱回収コイル１１の切替弁１１１，１１２，１１３を閉止し、閉塞配管防止対策で切替弁１１４を開けて停止時処置（Ｓ２０３）を行なっている。次に内調送風ファン１０２が起動されたか否かを判断（Ｓ２０４）し、ＯＦＦのままで起動が行なわれていない時は内調冷却コイル制御弁１２４を開（Ｓ２０５）とする。ステップ（Ｓ２０１）で外調送風ファン１０１が起動され、外調送風ファンのＯＦＦからＯＮへの状態変化を確認（Ｓ２０６）したら、起動確定タイマーのカウント完了（Ｓ２０７）後メインルーチンへリターンする。なお、ステップ（Ｓ２０４）で内調送風ファン１０２がＯＦＦからＯＮへ変化したら、外調送風ファン１０１がＯＦＦからＯＮに状態変化を確認（Ｓ２０８）し、メインルーチンへリターンする。
【００９０】
（制御パラメータと検出値の入力演算処理）
図１０は本発明実施形態に係る空調装置の制御パラメータと検出値の入力演算処理のフロー図である。各検出器の検出値を読み込み、上下限許容範囲設定値の演算（Ｓ３０１）し、外調送風ファン１０１と内調送風ファン１０２がＯＮからＯＦＦに状態変化（Ｓ３０２）の場合は、外調送風ファン１０１と内調送風ファン１０２の停止インターロック処理へ回帰（Ｓ３０３）し、メインルーチンへリターンする。外調送風ファン１０１と内調送風ファン１０２が起動しているとき（Ｓ３０２）は各制御パラメータ格納と検出値のリフレッシュ処理（Ｓ３０４）、エンタルピー・湿球温度・露点温度・熱量演算処理のその他の制御上必要なデータの演算（Ｓ３０５）、演算値データリフレッシュ（Ｓ３０６）など入力値のデータ処理が行なわれメインルーチンへリターンする。
【００９１】
（調節外気の温度設定と制御モード判定処理）
図１１は本発明の実施形態に係る空調装置の空調制御方法の制御ループ図である。まず取り入れる外気（ＯＡ）が高温高湿時の熱回収条件成立の判断を行なうとき、空気調和装置の起動初期は必ず不成立側（Ｎｏ）へ判定（Ｓ４０１）される。最終目的である空調空間３０の温度目標値（ＭＴ）を読み込み（Ｓ４０２）、外調機１０の始動時の調節外気の温度目標値を同じＭＴに設定する。上下限許容範囲を演算し調節外気の温度の冷却設定値（ＭＴ＋）と加熱設定値（ＭＴ−）を決定して、取り入れ外気の外気温度（ＯＡＴ）と冷却設定値（ＭＴ＋）と加熱設定値（ＭＴ−）の関係から処理すべき動作モードの判定と、外調機で処理した後の調節外気温度（ＳＡＴ）と冷却設定値（ＭＴ＋）と加熱設定値（ＭＴ−）の関係から処理すべき動作モードの判定を行ない制御状態の良否判断（Ｓ４０３）を行なう。
【００９２】
調節外気温度（ＳＡＴ）が加熱設定値（ＭＴ−）より低く（Ｓ４０４）、外気温度（ＯＡＴ）が冷却設定値（ＭＴ＋）より高くない（Ｓ４０５）とき、温度制御は加熱制御モードを選定しメインルーチンへリターン（Ｓ４０６）する。調節外気温度（ＳＡＴ）が加熱設定値（ＭＴ−）より低く（Ｓ４０４）、外気温度（ＯＡＴ）が冷却設定値（ＭＴ＋）より高い（Ｓ４０５）ときは、処理されるべき動作が不一致であるので温度制御冷却モード不良処理を行ない、メインルーチンへリターン（Ｓ４０７）する。
【００９３】
加熱設定値（ＭＴ−）が調節外気温度（ＳＡＴ）より低く、かつ調節外気温度（ＳＡＴ）が冷却設定値（ＭＴ＋）より低い（Ｓ４０８）とき、ゼロエナジー制御モードを選定し、メインルーチンへリターン（Ｓ４０９）する。さらに、加熱設定値（ＭＴ−）が外気温度（ＯＡＴ）より低く、外気温度（ＯＡＴ）が冷却設定値（ＭＴ＋）より低い（Ｓ４１０）ときにおいてもゼロエナジー制御モードを選定し、メインルーチンへリターン（Ｓ４０９）する。
【００９４】
加熱設定値（ＭＴ−）が外気温度（ＯＡＴ）より低く、外気温度（ＯＡＴ）が冷却設定値（ＭＴ＋）より低い条件が不成立（Ｓ４１０）のときはステップ（Ｓ４１１）の判断へ移行する。調節外気温度（ＳＡＴ）が冷却設定値（ＭＴ＋）より高く（Ｓ４１１）、外気温度（ＯＡＴ）が加熱設定値（ＭＴ−）より低い条件が不成立（Ｓ４１２）のとき、温度制御は冷却制御モードを選定し、メインルーチンへリターン（Ｓ４１３）する。調節外気温度（ＳＡＴ）が冷却設定値（ＭＴ＋）より高く（Ｓ４１１）、外気温度（ＯＡＴ）が加熱設定値（ＭＴ−）より低い（Ｓ４１２）とき、処理されるべき動作が不一致であるので温度制御加熱モード不良処理を行ない、メインルーチンへリターン（Ｓ４１４）する。
【００９５】
調節外気温度（ＳＡＴ）が冷却設定値（ＭＴ＋）より高くない（Ｓ４１１）とき、再度調節外気温度設定と制御モード判定処理を実行しモード決定するまで繰り返す。
【００９６】
起動初期に成立側判断（Ｓ４０１）され、高温高湿時熱回収中が成立（Ｓ４１５）したときは、温度制御機能停止モードを選択し、メインルーチンへリターン（Ｓ４１５）する。
【００９７】
（調節外気温度制御実行処理）
図１２は本発明の実施形態に係る空調装置の調節外気の温度制御の形態図であり、調節外気の温度ＰＩＤ制御ループの決定された制御モード（Ｓ５０１）ごとの温度制御の処理を表わしている。制御モードが決定していない場合はメインルーチンへリターンする。
【００９８】
温度制御機能停止モード（Ｓ５０２）は、ＰＩＤ制御の機能を一時的に停止させる処理である。外調機が取り入れる外気（ＯＡ）が十分に高温多湿で連続して除湿要求があるときこのモードを選択する。調節外気温度の目標値（ＳＶ）と検出値（ＰＶ）を同じにすることで、ＰＩＤ制御上の偏差が発生しないので冷却、加熱の制御出力を０％にすることができ外調機１０の温度制御機能を両方同時に停止できる。本機能により外気の熱回収温度範囲を幅広く取れる効果がある。
【００９９】
加熱制御モード（Ｓ５０３）は加熱ＰＩＤを機能させ冷却ＰＩＤはインターロックし機能停止する。冷却制御モード（Ｓ５０４）は冷却ＰＩＤを機能させ加熱ＰＩＤはインターロックし機能停止する。冷却制御不良モード（Ｓ５０５）は取り入れ外気（ＯＡ）の温度が、冷却ＰＩＤ動作要求なのに実際の動作では加熱ＰＩＤ動作が機能しているので、制御状態にハンチングが見られる状況であり、冷却ＰＩＤのパラメータを再調整する。ゼロエネナジー制御モード（Ｓ５０６）は中間時等の取入れ外気（ＯＡ）の温度が空調空間３０の要求に等しいときの動作で加熱ＰＩＤ、冷却ＰＩＤいずれも動作していない。偏差が発生してくれば冷却、または、加熱へモード移行できる状態である。加熱制御不良モード（Ｓ５０７）は取り入れ外気（ＯＡ）の温度が、加熱ＰＩＤ動作要求なのに実際の動作では冷却ＰＩＤ動作が機能しているので制御状態にハンチングが見られる状況であり、加熱ＰＩＤのパラメータを再調整する。いずれか１つのモードが実行され、メインルーチンへリターンする。
【０１００】
（調節外気露点温度のカスケード設定の処理）
図１３は本発明の実施形態に係る空調装置の調節外気の露点温度のカスケード設定処理図である。空調空間３０の湿度目標値（ＭＨ）（Ｓ６０１）と空調空間３０の検出された空調空間湿度（ＫＨ）を比較して湿度ＰＩＤ演算を行ない、調節外気露点温度目標値（ＭＤ）のカスケード設定変更（Ｓ６０２）をしている。この使用方法によれば、最終目標としている空調空間３０の湿度目標値（ＭＨ）と空調空間３０の空調空間湿度（ＫＨ）を一致させるよう外調機の最適な調節外気露点温度目標値（ＭＤ）を決定（Ｓ６０２）してメインルーチンへリターンする。
【０１０１】
（調節外気の露点温度設定と制御モード判定処理）
図１４は本発明の実施形態に係る空調装置の調節外気の露点温度設定と露点温度の制御モード判定処理図である。図１３でカスケード設定された調節外気露点温度目標値（ＭＤ）を読み込み（Ｓ７０１）、上下限許容範囲を演算し調節外気露点温度の除湿用露点温度設定値（ＭＤ＋）と加湿用露点温度設定値（ＭＤ−）を決定して、外気湿度（ＯＡＨ）と湿度許容下限値（ＭＨ−）と湿度許容上限値（ＭＨ＋）の関係から処理すべき動作モードの判定と、外調機１０で処理された調節外気の調節外気露点温度（ＳＡＤ）と除湿用露点温度設定値（ＭＤ＋）と加湿用露点温度設定値（ＭＤ−）の関係から処理すべき動作モードの判定を行ない制御状態の良否判断（Ｓ７０２）を行なう。調節外気露点温度（ＳＡＤ）が加湿用露点温度設定値（ＭＤ−）より低く（Ｓ７０３）、外気湿度（ＯＡＨ）が湿度許容上限値（ＭＨ＋）より高くないとき（Ｓ７０４）、湿度制御は加湿制御モードを選定し、メインルーチンへリターン（Ｓ７０５）する。調節外気露点温度（ＳＡＤ）が加湿用露点温度設定値（ＭＤ−）より低く（Ｓ７０３）、外気湿度（ＯＡＨ）が湿度許容上限値（ＭＨ＋）より高い（Ｓ７０４）とき、処理されるべき動作が不一致であるので、湿度制御除湿モード不良処理を行ない、メインルーチンへリターン（Ｓ７０６）する。
【０１０２】
加湿用露点温度設定値（ＭＤ−）が調節外気露点温度（ＳＡＤ）より低く、かつ調節外気露点温度（ＳＡＤ）が除湿用露点温度設定値（ＭＤ＋）より低い（Ｓ７０７）とき、ゼロエナジー制御モードを選定し、メインルーチンへリターン（Ｓ７０８）する。さらに、湿度許容下限値（ＭＨ−）が外気湿度（ＯＡＨ）より低く、外気湿度（ＯＡＨ）が湿度許容上限値（ＭＨ＋）より低い（Ｓ７０９）ときも、ゼロエナジー制御モードを選定し、メインルーチンへリターン（Ｓ７０８）する。
【０１０３】
また、湿度許容下限値（ＭＨ−）が外気湿度実測値（ＯＡＨ）より低く、かつ外気湿度（ＯＡＨ）が湿度許容上限値（ＭＨ＋）より低い条件が不成立（Ｓ７０９）のときは、ステップ（Ｓ７１０）の判断へ移行する。調節外気露点温度（ＳＡＤ）が除湿用露点温度設定値（ＭＤ＋）より高く（Ｓ７１０）、外気湿度（ＯＡＨ）が湿度許容下限値（ＭＨ−）低くない（Ｓ７１１）とき、湿度制御は除湿制御モードを選定し、メインルーチンへリターン（Ｓ７１２）する。調節外気露点温度（ＳＡＤ）が除湿用露点温度設定値（ＭＤ＋）より高く（Ｓ７１０）、外気湿度（ＯＡＨ）が湿度許容下限値（ＭＨ−）より低い（Ｓ７１２）とき、処理されるべき動作が不一致であるので、湿度制御加湿モード不良処理を行ない、メインルーチンへリターン（Ｓ７１３）する。調節外気露点温度（ＳＡＤ）が除湿用露点温度設定値（ＭＤ＋）より高くない（Ｓ７１０）ときは、再度調節外気温度設定と制御モード判定処理とを実行し、モード決定するまで繰り返す。
各制御モードはいずれか１つに限定され、メインルーチンへリターンする。
【０１０４】
（調節外気露点温度制御実行処理）
図１５は本発明の実施形態に係る空調装置の調節外気の露点温度制御実行処理図である。
露点温度ＰＩＤ制御ループの動作状況が決定された制御モード（Ｓ８０１）ごとに、湿度制御用露点温度制御の形態を表す。モードが決定していない場合はメインルーチンへリターンする。加湿制御モード（Ｓ８０２）は加湿ＰＩＤを機能させ、除湿ＰＩＤはインターロックし機能停止する。除湿制御モード（Ｓ８０３）は除湿ＰＩＤを機能させ、加湿ＰＩＤはインターロックし機能停止する。除湿制御モード不良（Ｓ８０４）は取り入れ外気の湿度が、除湿ＰＩＤ動作要求なのに実際の動作では加湿ＰＩＤ動作が機能しているので制御状態にハンチングが見られる状況である。除湿ＰＩＤパラメータの再調整をする。ゼロエネナジー制御モード（Ｓ８０５）は中間時等の取入れ外気の湿度が空調空間３０の要求に等しい時の動作で加湿ＰＩＤ、除湿ＰＩＤいずれも動作しない。偏差が発生してくれば、除湿または加湿へモード移行できる状態である。加湿制御モード不良（Ｓ８０６）は、取り入れる外気の湿度が加湿ＰＩＤ動作要求なのに実際動作では除湿ＰＩＤ動作が機能しているので、制御状態にハンチングが見られる状況である。加湿ＰＩＤパラメータの再調整をする。いずれか１つのモードが実行され、メインルーチンへリターンする。
【０１０５】
（除湿中のモード判定処理）
図１６は本発明の実施形態に係る空調装置の外調機冷却コイルの運転モード判定ループ図である。外調冷却コイル１２の冷水の流量を制御する外調冷却コイル制御弁１２１への出力は温度制御による冷却出力と湿度制御による過冷却除湿出力（Ｓ９０１）の操作量のいずれか大きい方を判定（Ｓ９０２）して選択出力する。過冷却除湿出力が冷却出力（Ｓ９０３）より大きく温度制御で再熱が必要なときを、除湿中と判定（Ｓ９０４）する。モードが判定され、メインルーチンへリターンする。
【０１０６】
（高温高湿時の熱回収制御モード処理）
図１７は本発明の実施形態に係る空調装置の外気が高温高湿時の熱回収制御モードのフロー図である。外調機制御モードが温度制御条件で冷却制御モード（Ｓ１００１）、かつ、湿度制御条件で除湿制御モード（Ｓ１００２）であって、低温時熱回収条件が不成立（Ｓ１００３）で、外気温度（ＯＡＴ）が冷却設定値（ＭＴ＋）より高く（Ｓ１００４）、外調機の除湿中判定（Ｓ１００５）後、すべての温湿度条件が連続成立した保持時間を測定し、条件連続保持時限タイマーの設定時間を超えた場合（Ｓ１００６）には、高温高湿時の熱回収モード条件を成立させ、保持（Ｓ１００７）する。その後、最小動作保留時間を測定し時限タイマーの設定時間内は条件変化を行なわず、高温高湿時熱回収モード条件を保持（Ｓ１００８）する。最小動作保留時間経過後は、状態変化を受け付ける判断ループへ進む。熱回収有効限界判定要素の内調冷却コイル制御弁１２４の開度の下限のしきい値を監視し、しきい値以下（Ｓ１００９）になり無効のときはしきい値以下の継続時間を計測（Ｓ１０１０）して、熱回収有効限界判定を無効判定（Ｓ１０１１）とし、高温高湿時熱回収温度制御機能停止モード（図１１のＳ４０１、４１５）から復帰してきた加熱ＰＩＤと冷却ＰＩＤを初期化（Ｓ１０１２）して、高温高湿時の熱回収モードを終了（Ｓ１０１３）して、メインルーチンへリターンする。
【０１０７】
熱回収有効限界判定要素の内調冷却コイル制御弁１２４の開度の下限のしきい値を監視し、しきい値以下ではなく（Ｓ１００９）有効なときは加熱コイル１３の加熱コイル制御弁１２２を閉止して高温高湿時熱回収を実行してメインルーチンへリターンする。外調機制御モードが温度制御条件で冷却制御モード（Ｓ１００１）でなく、湿度制御条件で除湿制御モード（Ｓ１００２）でなく、低温時熱回収条件が成立（Ｓ１００３）し、外気温度（ＯＡＴ）が冷却設定値（ＭＴ＋）より低く（Ｓ１００４）、外調機が除湿中でなく（Ｓ１００５）、高温高湿時の熱回収モードから、状態変化が起こったとき（Ｓ１０１４）、熱回収有効限界判定を無効判定（Ｓ１０１１）とし、高温高湿時の熱回収中温度制御機能停止モード（図１１のＳ４０１、４１５）から復帰してきた加熱ＰＩＤと冷却ＰＩＤを初期化（Ｓ１０１２）して、高温高湿時の熱回収モードを終了して、メインルーチンへリターン（Ｓ１０１３）する。ステップ（Ｓ１０１４）において前回動作モードが高温高湿時の熱回収モードでは無い場合は、何も行なわずメインルーチンへリターンする。
【０１０８】
（低温時熱回収制御モード処理）
図１８は、本発明の実施形態に係る空調装置の外気が低温時の熱回収制御モード処理のフロー図である。外調機制御モードが温度制御条件で加熱モード（Ｓ１１０１）、高温高湿時の熱回収条件が不成立（Ｓ１１０２）で、外気温度（ＯＡＴ）が加熱設定値（ＭＴ−）より低く（Ｓ１１０３）、すべての条件が連続して成立した保持時間を測定し、条件連続保持タイマーの設定時間を超えた場合（Ｓ１１０４）には、低温時熱回収モード条件を成立させ、保持（Ｓ１１０５）する。その後、最小動作保留時間を測定し時限タイマーの設定時間内は条件変化を行なわず、低温時熱回収モード条件を保持（Ｓ１１０６）する。外調冷却コイル制御弁１２１を閉止（Ｓ１１０７）して、低温時熱回収を実行して、メインルーチンへリターン（Ｓ１１０８）する。温度制御条件で加熱モード（Ｓ１１０１）でなく、高温高湿時の熱回収条件が成立（Ｓ１１０２）し、外気温度（ＯＡＴ）が過熱設定値（ＭＴ−）より低くなくなった（Ｓ１１０３）とき、ステップ（Ｓ１１０９）において前回動作モードが冬期熱回収モードから状態変化が起こったとき、その継続時間を計測（Ｓ１１１０）して、判定タイマーの設定時間を越えた場合には、低温時の熱回収有効限界判定を無効判定（Ｓ１１１１）として、低温時熱回収モードを終了して、メインルーチンへリターン（Ｓ１１１２）する。
【０１０９】
ステップ（Ｓ１１０９）において前回動作モードが低温時熱回収モードでは無い場合は、何も行なわずメインルーチンへリターンする。
【０１１０】
（高温高湿時熱回収実行処理）
図１９は本発明の実施形態に係る空調装置の外気が高温高湿時の熱回収実行処理フロー図である。高温高湿時熱回収運転を実行する体制への切り替えは熱回収コイル切替弁の開閉操作を行なう。空調装置の使用方法は、冬期熱回収運転の熱回収コイル切替弁１１３と１１４とに閉指令を出力（Ｓ１２０１）して、熱回収コイル切替弁１１３と１１４との閉位置を確認（Ｓ１２０２）して、閉位置であれば熱回収コイル切替弁１１１と１１２とに開指令を出力（Ｓ１２０３）して、熱回収コイル切替弁１１１と１１２との開位置に到達したか判断（Ｓ１２０５）を行なう。熱回収コイル切替弁１１１と１１２とが開位置に到達すれば、この切替弁の操作で外調機１０の熱回収コイル１１と加熱コイル１３との間の循環流路の構成が完了する。熱回収コイル切替弁１１１と１１２とが開位置に到達していない場合は、メインルーチンへリターンする。ステップ（Ｓ１２０２）で熱回収コイル切替弁１１３と１１４との閉位置が確認できないと、熱回収コイル切替弁１１１と１１２とに閉指令を出力して切替弁操作を行なわず、メインルーチンへリターンする。ステップ（Ｓ１２０６）と（Ｓ１２０７）とで凍結防止指令の有りまたは無しを判定しており、凍結防止指令有りのときはステップ（Ｓ１２０１）、（Ｓ１２０２）、（Ｓ１２０３）、（Ｓ１２０４）、（Ｓ１２０５）のループの動きを併用して、外調機１０の熱回収コイル１１と加熱コイル１３との間の循環流路を形成する。
【０１１１】
ステップ（Ｓ１２０７）で凍結防止指令無しの通常の高温高湿時は、高温高湿時の熱回収モードの送水ポンプ１２０の運転判断（Ｓ１２０８）を行なう。外調機１０の調節外気温度（ＳＡＴ）の下限しきい値での送水ポンプ１２０の運転（ＯＮ）（Ｓ１２０９）は外気保有熱を実用限界まで利用することが目的であり、停止（ＯＦＦ）の判断は、最小運転時間を計測（Ｓ１２１０）してタイマーの設定時間を超えた場合にはＯＦＦを出力（Ｓ１２１１）し、ポンプの停止を確認（Ｓ１２１２）して、メインルーチンへリターンする。
【０１１２】
送水ポンプ１２０が運転中（Ｓ１２１２）である場合は、高温高湿時の熱回収送水ポンプ１２０のインバータ回転数制御（Ｓ１２１３）により、調節外気温度（ＳＡＴ）が冷却設定値（ＭＴ＋）になるよう流量制御する。高温高湿時の熱回収制御の行ないすぎを防止し、搬送動力を削減することが目的である。本ループ実施後、メインルーチンへリターンする。
【０１１３】
（低温時熱回収実行処理）
図２０は本発明の実施形態に係る空調装置の外気が低温時の熱回収実行処理フロー図である。低温時熱回収実行する体制への切り替えは、熱回収コイル切替弁の開閉操作を行なう。空調装置の使用方法は、熱回収コイル切替弁１１１と１１２とに閉指令を出力（Ｓ１３０１）して、熱回収コイル切替弁１１１と１１２との閉位置を確認（Ｓ１３０２）して、閉位置であれば熱回収コイル切替弁１１３と１１４とに開指令を出力（Ｓ１３０３）して、熱回収コイル切替弁１１３と１１４とが開位置に到達したか判断（Ｓ１３０５）を行なう。熱回収コイル切替弁１１１と１１２とが閉位置に到達すればこの切替弁操作で外調機１０の熱回収コイル１１と外調冷却コイル１２と冷水戻り配管４２と外調冷却コイル冷水戻配管４５と第２配管４３と第４配管４４との間のバイパス循環流路の構成が完了する。熱回収コイル切替弁１１３と１１４とが開位置に到達していない場合は、メインルーチンへリターン（Ｓ１３０５）する。ステップ（Ｓ１３０２）で熱回収コイル切替弁１１３と１１４との閉位置が確認できないと、熱回収コイル切替弁１１３と１１４とに閉指令を出力して、切替弁操作を行なわずメインルーチンへリターン（Ｓ１３０４）する。
【０１１４】
次に、低温時熱回収モードの送水ポンプ１２０の運転判断（Ｓ１３０６）を行なう。外気温度（ＯＡＴ）の上限しきい値での送水ポンプ１２０の運転（ＯＮ）（Ｓ１３０７）は外気保有熱を実用限界まで利用することが目的であり、停止（ＯＦＦ）の判断は、最小運転時間を計測（Ｓ１３０８）して、タイマーの設定時間を超えた場合にはＯＦＦ（Ｓ１３０９）を出力し、送水ポンプの停止を確認してメインルーチンへリターン（Ｓ１３１０）する。送水ポンプ１２０が運転中である場合は、収送水ポンプ１２０のインバータ回転数制御を、熱回収コイルの流出冷水温度（ＯＴ）の冷水要求温度設定値が露点温度目標値（ＭＤ）＋αになるよう流量制御（Ｓ１３１１）する。低温時熱回収制御の行ないすぎを防止し、搬送動力を削減することが目的である。
【０１１５】
次に、外気温度の監視を行ない外気温度が、冷水要求温度設定値の露点温度目標値（ＭＤ）＋α以上の高温になったときは（Ｓ１３１２）の判断により、逆熱交換を防止するためポンプ停止操作に移行する。停止操作は、最小運転時間を計測（Ｓ１３０８）して、タイマーの設定時間を超えた場合には停止（ＯＦＦ）を出力し、送水ポンプの停止を確認（Ｓ１３０９）してメインルーチンへリターン（Ｓ１３１０）する。逆熱交換の虞が無いときは、（Ｓ１３１２）の判断により熱回収を継続して、メインルーチンへリターンする。
【０１１６】
（低温時空調空間暖房処理）
図２１は本発明実施形態に係る空調装置の外気が低温時の空調空間の暖房処理フロー図である。外気が低温時に低温時熱回収実行中（Ｓ１４０１）で空調空間の熱負荷が減少してきたことを内調冷却コイル制御弁１２４の開度下限値で判断（Ｓ１４０２）し、開度の下限値継続時間を計測（Ｓ１４０３）して、下限値継続時間監視タイマーの設定時間を超えた場合には、その時点の調節外気温度を低温時調節外気温度（ＴＬ）として記憶（Ｓ１４０４）し、温度目標値（ＭＴ）に加算値α（任意の加算値でよい）を加算した外調機１０の暖房用調節外気温度（ＴＨ）を求め、設定値を変更してメインルーチンへリターン（Ｓ１４０５）する。
【０１１７】
ステップ（Ｓ１４０２）の内調冷却コイル制御弁１２４の開度が下限値に至っていないときは、前回判定の結果が空調空間の熱負荷無し（ＯＮ）で、今回は空調空間の負荷あり（ＯＦＦ）に反転したら（Ｓ１４０６）、低温時調節外気温度（ＴＬ）（暖房用調節外気温度（ＴＨ）に変化させる前の調節外気温度）へ復帰させ、メインルーチンへリターン（Ｓ１４０７）する。外気が低温時の熱回収実行中（Ｓ１４０１）で無い場合と、前回判定と状態変化なしの場合とは、何も行なわずメインルーチンへリターン（Ｓ１４０６）する。
【０１１８】
（凍結防止実行処理）
図２２は本発明の実施形態に係る空調装置の外気が低温時の凍結防止実行処理フロー図である。外気が低温時の低温時熱回収実行中（Ｓ１５０１）で、低温時熱回収コイル凍結防止判定処理を外気温度（ＯＡＴ）の凍結おそれ温度設定値以下と判断（Ｓ１５０２）し、設定値継続時間を凍結おそれ時間監視タイマーで検出（Ｓ１５０３）して、時間監視タイマーの設定時間を超えた場合には、凍結防止指令をＯＮ（Ｓ１５０４）して、サブルーチン（Ｓ１５０５）へ進み、熱回収コイル切替弁を切り替え（Ｓ１５０６）、ステップ（Ｓ１５０７）にて本処理工程へリターンし、送水ポンプ１２０を起動してメインルーチンへリターン（Ｓ１５０９）する。サブルーチン（Ｓ１５０５）の内容は図１９のステップ（Ｓ１２０６）へ至り、ステップ（Ｓ１２０１）、（Ｓ１２０２）、（Ｓ１２０３）、（Ｓ１２０４）、（Ｓ１２０５）のループの動きを併用して、外調機１０の熱回収コイル１１と加熱コイル１３との間の循環流路を形成する。ステップ（Ｓ１５０２）にて外気温度（ＯＡＴ）が凍結おそれ温度設定値以上と判断され、凍結おそれがないときは、送水ポンプ１２０を停止してメインルーチンへリターン（Ｓ１５０８）する。低温時熱回収実行中でないときは、本ループでの処理は何も行なわず、メインルーチンへリターン（Ｓ１５０１）する。
【０１１９】
（中間時処理）
図２３は本発明の実施形態に係る空調装置の中間時の処理図である。低温時熱回収運転中でなく（Ｓ１６０１）、高温高湿時熱回収運転中でもなく（Ｓ１６０２）、熱回収コイル切替弁１１３が閉（Ｓ１６０３）で、熱回収コイル切替弁１１１が閉（Ｓ１６０４）で、熱回収コイル切替弁１１２が閉（Ｓ１６０５）の条件がすべて成立後、熱回収コイル切替弁１１４に開指令を出力して、閉塞配管防止対策を行ないメインルーチンへリターン（Ｓ１６０６）する。低温時熱回収運転中でなく（Ｓ１６０１）、高温高湿時熱回収運転中でもなく（Ｓ１６０２）、熱回収コイル切替弁１１３が閉（Ｓ１６０３）で、熱回収コイル切替弁１１１が閉（Ｓ１６０４）で、熱回収コイル切替弁１１２が閉（Ｓ１６０５）の各条件が１つでも不成立のときは何も行なわずメインルーチンへリターンする。
【０１２０】
（内調機温度制御実行処理）
図２４は本発明の実施形態に係る空調装置の内調機温度制御実行処理図である。内調機２０の内調送風ファン１０２が起動したとき、内調送風ファンが停止（ＯＦＦ）から運転（ＯＮ）へ状態が変化（Ｓ１７０１）したら、空調空間の温度目標値（ＭＴ）（Ｓ１７０２）と空調空間の温度（ＫＴ）とから内調冷却コイル制御弁１２４の冷却ＰＩＤ制御を行ない、メインルーチンへリターン（Ｓ１７０３）する。内調機２０の内調送風ファン１０２がＯＮからＯＦＦになり停止したときは、メインルーチンへリターン（Ｓ１７０１）する。
【０１２１】
（冷水温度設定変更処理）
図２５は本発明に係る空調装置の冷水温度設定変更処理図である。内調機２０の内調送風ファン１０２を運転（Ｓ１８０１）し、外調機１０の運転モードが加湿制御中の（Ｓ１８０２）ときに、空調空間３０の熱負荷が大きく、内調機冷却コイル制御弁１２４の開度の変化大（Ｓ１８０４）で内調冷却コイル制御弁１２４の開度が大きいと判断して開度が大きい継続時間を計測して（Ｓ１８０５）、タイマー設定時間を超えたときは冷熱源装置４０に対して冷水の温度設定を下げる要求判断（Ｓ１８０６）を行い、メインルーチンへリターンする。内調機２０の内調送風ファン１０２を運転（Ｓ１８０１）し、外調機１０の運転モードが加湿制御中の（Ｓ１８０２）ときに、空調空間３０発熱負荷が小さく、内調機冷却コイル制御弁１２４の開度の変化小（Ｓ１８０４）で内調冷却コイル制御弁１２４の開度が小さいと判断し、さらに空調空間の露点温度目標値（ＭＤ）に対して冷水送水温度（ＣＳＴ）（ＣＳＴは冷熱源装置４０より通信で受信）が低い（Ｓ１８０７）ときは、露点温度以下の判断をして露点温度以下の継続時間を計測し（Ｓ１８０９）、タイマー設定時間を超えたときは冷熱源装置４０に対して冷水の温度設定値を上げる要求判断（Ｓ１８１０）を行ない、メインルーチンへリターンする。ステップ（Ｓ１８０７）における判断が、空調空間の露点温度目標値（ＭＤ）に対して冷水送水温度（ＣＳＴ）が高いときは、冷水の温度設定を現状維持（Ｓ１８０８）してメインルーチンへリターンする。また、内調機２０の内調送風ファン１０２を運転（Ｓ１８０１）し、外調機１０の運転モードが加湿制御中ではない（Ｓ１８０２）とき、外調機１０の運転モードが除湿制御中である判断（Ｓ１８０３）をして除湿制御中の継続時間を計測して（Ｓ１８０５）、タイマー設定時間を超えたときは冷熱源装置４０に対して冷水の温度設定下げの要求判断（Ｓ１８０６）を行ない、メインルーチンへリターンする。ステップ（Ｓ１８０３）における判断が外調機１０の運転モードが除湿制御中でないときは、冷水温度設定を現状維持（Ｓ１８０８）してメインルーチンへリターンする。このように制御する本発明の空調装置の使用方法は、冷熱源装置４０の製造する冷水の温度を低温時の加湿負荷があるときには空調空間の露点温度目標値以上にして、外調機１０が加湿を行なった後の空調空間の熱負荷処理時（内調機の冷却動作時）の冷水の温度条件による自然除湿を防止し、加湿負荷の低減に寄与することができる。また、冷熱源装置の熱効率を向上できる。
【図面の簡単な説明】
【０１２２】
【図１】本発明の実施形態に係る空調装置の外気が中間時の構成図である。
【図２】本発明の実施形態に係る空調装置の外気が高温高湿時の構成図である。
【図３】本発明の実施形態に係る空調装置の外気が低温時の構成図である。
【図４】本発明の実施形態に係る空調装置の中間時の外調機空気線図である。
【図５】本発明の実施形態に係る空調装置の外気が高温高湿時の外調機空気線図である。
【図６】本発明の実施形態に係る空調装置の外気が低温時の外調機空気線図である。
【図７】本発明の実施形態に係る空調装置の内調機空気線図である。
【図８】本発明の実施形態に係る空調装置の制御動作のフロー図である。
【図９】図８に示したインターロック処理のフロー図である。
【図１０】本発明実施形態に係る空調装置の制御パラメータと検出値の入力演算処理のフロー図である。
【図１１】本発明の実施形態に係る空調装置の空調制御方法の制御ループ図である。
【図１２】本発明の実施形態に係る空調装置の調節外気の温度制御の形態図である。
【図１３】本発明の実施形態に係る空調装置の調節外気の露点温度のカスケード設定処理図である。
【図１４】本発明の実施形態に係る空調装置の調節外気の露点温度設定と露点温度の制御モード判定処理図である。
【図１５】本発明の実施形態に係る空調装置の調節外気の露点温度制御実行処理図である。
【図１６】本発明の実施形態に係る空調装置の外調機冷却コイルの運転モード判定ループ図である。
【図１７】本発明の実施形態に係る空調装置の外気が高温高湿時の熱回収制御モードのフロー図である。
【図１８】本発明の実施形態に係る空調装置の外気が低温時の熱回収制御モード処理のフロー図である。
【図１９】本発明の実施形態に係る空調装置の外気が高温高湿時の熱回収実行処理フロー図である。
【図２０】本発明の実施形態に係る空調装置の外気が低温時の熱回収実行処理フロー図である。
【図２１】本発明実施形態に係る空調装置の外気が低温時の空調空間の暖房処理フロー図である。
【図２２】本発明の実施形態に係る空調装置の外気が低温時の凍結防止実行処理フロー図である。
【図２３】本発明の実施形態に係る空調装置の中間時の処理図である。
【図２４】本発明の実施形態に係る空調装置の内調機温度制御実行処理図である。
【図２５】本発明に係る空調装置の冷水温度設定変更処理図である。
【符号の説明】
【０１２３】
ＯＡ    外気
ＳＯＡ  調節外気
ＳＡ    給気
ＲＡ    還気
ＥＡ    排気
１      外気ダクト
２      調節外気ダクト
３      給気ダクト
４      還気ダクト
１０    外調機
１１    熱回収コイル
１２    外調冷却コイル
１３    加熱コイル
１４    加湿器
１５    流入配管
１６    流出配管
２０    内調機
２１    内調冷却コイル
３０    空調空間
４０    冷熱源装置
４１    冷水供給配管
４２    冷水戻配管
４３    第２配管
４４    第４配管
４５    外調冷却コイル冷水戻配管
４６    内調冷却コイル冷水供給配管
４７    内調冷却コイル冷水戻配管
５０    温熱源装置
５１    温水供給配管
５２    温水戻配管
５３    第1配管
５４    第３配管
１００  制御装置
１１１、１１２、１１３、１１４  熱回収コイル切替弁
１２０  送水ポンプ
１２１  外調冷却コイル制御弁
１２２  加熱コイル制御弁
１２３  加湿器制御弁
１２４  内調冷却コイル制御弁
１３１、１３３、１３５  温度検出器
１３２、１３６    湿度検出器
１３４  露点温度検出器
１３７、１３８，１３９  温度検出器
１４０  流量検出器
【図１】
2009216330.tif 000003
【図２】
2009216330.tif 000004
【図３】
2009216330.tif 000005
【図４】
2009216330.tif 000006
【図５】
2009216330.tif 000007
【図６】
2009216330.tif 000008
【図７】
2009216330.tif 000009
【図８】
2009216330.tif 000010
【図９】
2009216330.tif 000011
【図１０】
2009216330.tif 000012
【図１１】
2009216330.tif 000013
【図１２】
2009216330.tif 000014
【図１３】
2009216330.tif 000015
【図１４】
2009216330.tif 000016
【図１５】
2009216330.tif 000017
【図１６】
2009216330.tif 000018
【図１７】
2009216330.tif 000019
【図１８】
2009216330.tif 000020
【図１９】
2009216330.tif 000021
【図２０】
2009216330.tif 000022
【図２１】
2009216330.tif 000023
【図２２】
2009216330.tif 000024
【図２３】
2009216330.tif 000025
【図２４】
2009216330.tif 000026
【図２５】
2009216330.tif 000027